(57)【要約】  本願は、ユーザ体験を改善するのに役立つ通信方法及び通信装置を提供する。通信方法は、第１のアクセスネットワークノードが、コアネットワークノードに第１のメッセージを送信する段階であって、第１のメッセージは、第２のアクセスネットワークノードによってサポートされているネットワークスライスの識別情報を含む、送信する段階と、第１のアクセスネットワークノードが、コアネットワークノードによって送信される第１の応答メッセージを受信する段階であって、第１の応答メッセージは、第１のメッセージに対する応答メッセージである、受信する段階とを含む。
2021505083.tif 000002
【特許請求の範囲】
【請求項１】
第１のアクセスネットワークノードが、コアネットワークノードに第１のメッセージを送信する段階であって、前記第１のメッセージは、第２のアクセスネットワークノードによってサポートされているネットワークスライスの識別情報を含む、送信する段階と、
前記第１のアクセスネットワークノードが、前記コアネットワークノードによって送信される第１の応答メッセージを受信する段階であって、前記第１の応答メッセージは、前記第１のメッセージに対する応答メッセージである、受信する段階と
を備える、通信方法。
【請求項２】
前記第１のメッセージは、前記コアネットワークノードに前記第１のアクセスネットワークノードによってサポートされている第１のネットワークスライスセットを更新することを命令するのに使用される、請求項１に記載の通信方法。
【請求項３】
前記第１のネットワークスライスセットは、前記第１のアクセスネットワークノードによってサポートされていないが、前記第２のアクセスネットワークノードによってサポートされているネットワークスライスを含む、請求項２に記載の通信方法。
【請求項４】
前記第１のネットワークスライスセットが、前記第１のアクセスネットワークノードによってサポートされているネットワークスライスの状態、及び前記第２のアクセスネットワークノードによってサポートされている前記ネットワークスライスの状態に基づいて決定され、又は、前記第１のネットワークスライスセットが、前記第１のアクセスネットワークノードによってサポートされているネットワークスライスの状態、前記第２のアクセスネットワークノードによってサポートされている前記ネットワークスライスの状態、及び端末デバイスがアクセスを要求する若しくはアクセスを許されているネットワークスライスの状態に基づいて決定される、請求項３に記載の通信方法。
【請求項５】
前記方法はさらに、
前記第１のアクセスネットワークノードが、前記コアネットワークノードに前記端末デバイスによって送信される第２のメッセージを転送する段階であって、前記第２のメッセージは、前記コアネットワークノードに第２のネットワークスライスセット内のネットワークスライスに対応するサービス情報を構成することを要求するのに使用され、前記第２のネットワークスライスセットは、前記第１のネットワークスライスセット内の少なくとも１つのネットワークスライスを含む、転送する段階と、
前記第１のアクセスネットワークノードが、前記コアネットワークノードによって送信される第２の応答メッセージを受信する段階であって、前記第２の応答メッセージは、前記第２のネットワークスライスセット内の前記ネットワークスライスに対応する前記サービス情報を含む、受信する段階と、
前記第１のアクセスネットワークノードが、前記第２のアクセスネットワークノードに第３のメッセージを送信する段階であって、前記第３のメッセージは、前記第２のネットワークスライスセット内にあり、かつ、前記第２のアクセスネットワークノードによってサポートされているネットワークスライスに対応するサービス情報を含む、送信する段階と、
を備える、請求項２から４のいずれか一項に記載の通信方法。
【請求項６】
前記方法はさらに、
前記第１のアクセスネットワークノードが、前記端末デバイスによって送信される第４のメッセージを受信する段階であって、前記第４のメッセージは、前記第２のアクセスネットワークノードによってサポートされている前記ネットワークスライスの前記識別情報を含み、前記第２のアクセスネットワークノードによってサポートされている前記ネットワークスライスの前記識別情報が、前記第２のアクセスネットワークノードによって前記端末デバイスに送信される、受信する段階
を備える、請求項１から５のいずれか一項に記載の通信方法。
【請求項７】
コアネットワークノードが、第１のアクセスネットワークノードによって送信される第１のメッセージを受信する段階であって、前記第１のメッセージは、第２のアクセスネットワークノードによってサポートされているネットワークスライスの識別情報を含む、受信する段階と、
前記コアネットワークノードが、前記第１のアクセスネットワークノードに第１の応答メッセージを送信する段階であって、前記第１の応答メッセージは、前記第１のメッセージに対する応答メッセージである、送信する段階と
備える、通信方法。
【請求項８】
前記方法はさらに、
前記コアネットワークノードが、前記第１のメッセージに基づいて、前記第１のアクセスネットワークノードによってサポートされている第１のネットワークスライスセットを更新する段階
を備える、請求項７に記載の通信方法。
【請求項９】
前記第１のネットワークスライスセットは、前記第１のアクセスネットワークノードによってサポートされていないが、前記第２のアクセスネットワークノードによってサポートされているネットワークスライスを含む、請求項８に記載の通信方法。
【請求項１０】
前記第１のネットワークスライスセットが、前記第１のアクセスネットワークノードによってサポートされているネットワークスライスの状態、及び前記第２のアクセスネットワークノードによってサポートされている前記ネットワークスライスの状態に基づいて決定され、又は、前記第１のネットワークスライスセットが、前記第１のアクセスネットワークノードによってサポートされているネットワークスライスの状態、前記第２のアクセスネットワークノードによってサポートされている前記ネットワークスライスの状態、及び端末デバイスがアクセスを要求する若しくはアクセスを許されているネットワークスライスの状態に基づいて決定される、請求項９に記載の通信方法。
【請求項１１】
前記方法はさらに、
前記コアネットワークノードが、前記第１のアクセスネットワークノードを使用することによって、前記端末デバイスによって送信される第２のメッセージを受信する段階であって、前記第２のメッセージは、前記コアネットワークノードに第２のネットワークスライスセット内のネットワークスライスに対応するサービス情報を構成することを要求するのに使用され、前記第２のネットワークスライスセットは、前記第１のネットワークスライスセット内の少なくとも１つのネットワークスライスを含む、受信する段階と、
前記コアネットワークノードが、前記第１のアクセスネットワークノードに第２の応答メッセージを送信する段階であって、前記第２の応答メッセージは、前記第２のネットワークスライスセット内の前記ネットワークスライスに対応する前記サービス情報を含む、送信する段階と
を備える、請求項８から１０のいずれか一項に記載の通信方法。
【請求項１２】
端末デバイスが、第２のアクセスネットワークノードによって送信される第５のメッセージを受信する段階であって、前記第５のメッセージは、前記第２のアクセスネットワークノードによってサポートされているネットワークスライスの識別情報を含む、受信する段階と、
前記端末デバイスが、第１のアクセスネットワークノードに第４のメッセージを送信する段階であって、前記第４のメッセージは、前記第２のアクセスネットワークノードによってサポートされている前記ネットワークスライスに対応するネットワークスライス識別子を含む、送信する段階と
を備える、通信方法。
【請求項１３】
コアネットワークノードに第１のメッセージを送信するよう構成される送信モジュールであって、前記第１のメッセージは、第２のアクセスネットワークノードによってサポートされているネットワークスライスの識別情報を含む、送信モジュールと、
前記コアネットワークノードによって送信される第１の応答メッセージを受信するよう構成される受信モジュールであって、前記第１の応答メッセージは、前記第１のメッセージに対する応答メッセージである、受信モジュールと
を備える、通信装置。
【請求項１４】
前記第１のメッセージは、前記コアネットワークノードに前記通信装置によってサポートされている第１のネットワークスライスセットを更新することを命令するのに使用される、請求項１３に記載の通信装置。
【請求項１５】
前記第１のネットワークスライスセットは、前記通信装置によってサポートされていないが、前記第２のアクセスネットワークノードによってサポートされているネットワークスライスを含む、請求項１４に記載の通信装置。
【請求項１６】
前記第１のネットワークスライスセットが、前記通信装置によってサポートされているネットワークスライスの状態、及び前記第２のアクセスネットワークノードによってサポートされている前記ネットワークスライスの状態に基づいて決定され、又は、前記第１のネットワークスライスセットが、前記通信装置によってサポートされているネットワークスライスの状態、前記第２のアクセスネットワークノードによってサポートされている前記ネットワークスライスの状態、及び端末デバイスがアクセスを要求する若しくはアクセスを許されているネットワークスライスの状態に基づいて決定される、請求項１５に記載の通信装置。
【請求項１７】
前記送信モジュールはさらに、前記コアネットワークノードに前記端末デバイスによって送信される第２のメッセージを転送することであって、前記第２のメッセージは、前記コアネットワークノードに第２のネットワークスライスセット内のネットワークスライスに対応するサービス情報を構成することを要求するのに使用され、前記第２のネットワークスライスセットは、前記第１のネットワークスライスセット内の少なくとも１つのネットワークスライスを含む、転送することを行うよう構成され、
前記受信モジュールはさらに、前記コアネットワークノードによって送信される第２の応答メッセージを受信することであって、前記第２の応答メッセージは、前記第２のネットワークスライスセット内の前記ネットワークスライスに対応する前記サービス情報を含む、受信することを行うよう構成され、
前記送信モジュールはさらに、前記第２のアクセスネットワークノードに第３のメッセージを送信することであって、前記第３のメッセージは、前記第２のネットワークスライスセット内にあり、かつ、前記第２のアクセスネットワークノードによってサポートされているネットワークスライスに対応するサービス情報を含む、送信することを行うよう構成される、
請求項１４から１６のいずれか一項に記載の通信装置。
【請求項１８】
前記受信モジュールはさらに、前記端末デバイスによって送信される第４のメッセージを受信することであって、前記第４のメッセージは、前記第２のアクセスネットワークノードによってサポートされている前記ネットワークスライスの前記識別情報を含み、前記第２のアクセスネットワークノードによってサポートされている前記ネットワークスライスの前記識別情報が、前記第２のアクセスネットワークノードによって前記端末デバイスに送信される、受信することを行うよう構成される、請求項１３から１７のいずれか一項に記載の通信装置。
【請求項１９】
第１のアクセスネットワークノードによって送信される第１のメッセージを受信するよう構成される受信モジュールであって、前記第１のメッセージは、第２のアクセスネットワークノードによってサポートされているネットワークスライスの識別情報を含む、受信モジュールと、
前記第１のアクセスネットワークノードに第１の応答メッセージを送信するよう構成される送信モジュールであって、前記第１の応答メッセージは、前記第１のメッセージに対する応答メッセージである、送信モジュールと
を備える、通信装置。
【請求項２０】
前記通信装置はさらに、前記第１のメッセージに基づいて、前記第１のアクセスネットワークノードによってサポートされている第１のネットワークスライスセットを更新するよう構成される更新モジュールを備える、請求項１９に記載の通信装置。
【請求項２１】
前記第１のネットワークスライスセットは、前記第１のアクセスネットワークノードによってサポートされていないが、前記第２のアクセスネットワークノードによってサポートされているネットワークスライスを含む、請求項２０に記載の通信装置。
【請求項２２】
前記第１のネットワークスライスセットが、前記第１のアクセスネットワークノードによってサポートされているネットワークスライスの状態、及び前記第２のアクセスネットワークノードによってサポートされている前記ネットワークスライスの状態に基づいて決定され、又は、前記第１のネットワークスライスセットが、前記第１のアクセスネットワークノードによってサポートされているネットワークスライスの状態、前記第２のアクセスネットワークノードによってサポートされている前記ネットワークスライスの状態、及び端末デバイスがアクセスを要求する若しくはアクセスを許されているネットワークスライスの状態に基づいて決定される、請求項２１に記載の通信装置。
【請求項２３】
前記受信モジュールはさらに、前記第１のアクセスネットワークノードを使用することによって、前記端末デバイスによって送信される第２のメッセージを受信することであって、前記第２のメッセージは、コアネットワークノードに第２のネットワークスライスセット内のネットワークスライスに対応するサービス情報を構成することを要求するのに使用され、前記第２のネットワークスライスセットは、前記第１のネットワークスライスセット内の少なくとも１つのネットワークスライスを含む、受信することを行うよう構成され、
前記送信モジュールはさらに、前記第１のアクセスネットワークノードに第２の応答メッセージを送信することであって、前記第２の応答メッセージは、前記第２のネットワークスライスセット内の前記ネットワークスライスに対応する前記サービス情報を含む、送信することを行うよう構成される、
請求項２０から２２のいずれか一項に記載の通信装置。
【請求項２４】
第２のアクセスネットワークノードによって送信される第５のメッセージを受信するよう構成される受信モジュールであって、前記第５のメッセージは、前記第２のアクセスネットワークノードによってサポートされているネットワークスライスの識別情報を含む、受信モジュールと、
第１のアクセスネットワークノードに第４のメッセージを送信するよう構成される送信モジュールであって、前記第４のメッセージは、前記第２のアクセスネットワークノードによってサポートされている前記ネットワークスライスに対応するネットワークスライス識別子を含む、送信モジュールと
を備える、通信装置。
【請求項２５】
通信装置であって、
コンピュータプログラムを記憶するよう構成されるメモリと、
前記メモリに記憶されている前記コンピュータプログラムを実行するよう構成され、その結果、前記通信装置が請求項１から６のいずれか一項に記載の通信方法を実行する、プロセッサと
を備える、通信装置。
【請求項２６】
通信装置であって、
コンピュータプログラムを記憶するよう構成されるメモリと、
前記メモリに記憶されている前記コンピュータプログラムを実行するよう構成され、その結果、前記通信装置が請求項７から１１のいずれか一項に記載の通信方法を実行する、プロセッサと
を備える、通信装置。
【請求項２７】
通信装置であって、
コンピュータプログラムを記憶するよう構成されるメモリと、
前記メモリに記憶されている前記コンピュータプログラムを実行するよう構成され、その結果、前記通信装置が請求項１２に記載の通信方法を実行する、プロセッサと
を備える、通信装置。
【請求項２８】
請求項１３から１８のいずれか一項に記載の少なくとも１つの通信装置と、
請求項１９から２３のいずれか一項に記載の少なくとも１つの通信装置と、
請求項２４に記載の少なくとも１つの通信装置と
を備える、通信システム。
【請求項２９】
請求項２５に記載の少なくとも１つの通信装置と、
請求項２６に記載の少なくとも１つの通信装置と、
請求項２７に記載の少なくとも１つの通信装置と
を備える、通信システム。
【発明の詳細な説明】
【技術分野】
【０００１】
本願は、２０１７年１１月３０日に中国特許庁に出願された、「通信方法及び通信装置（ＣＯＭＭＵＮＩＣＡＴＩＯＮ  ＭＥＴＨＯＤ  ＡＮＤ  ＣＯＭＭＵＮＩＣＡＴＩＯＮＳ  ＡＰＰＡＲＡＴＵＳ）」と題された中国特許出願第２０１７１１２３３４９９．０号に対する優先権を主張し、その全体は参照により本明細書に組み込まれる。
【０００２】
本願は、通信分野に関し、より具体的には、通信方法及び通信装置に関する。
【背景技術】
【０００３】
第５世代通信（ｆｉｆｔｈ−ｇｅｎｅｒａｔｉｏｎ、５Ｇ）システムにおいて、ネットワークスライスＮＳ（ｎｅｔｗｏｒｋ  ｓｌｉｃｅ、ＮＳ）のネットワークアーキテクチャが、異なるユーザ要求を対処するために提案される。しかしながら、実際のネットワークにおいて、いくつかのネットワークスライスが、ローカルネットワークエリアにのみ配備され得る。言い換えれば、ネットワークデバイスは、全てのネットワークスライスをサポートしない場合がある。ネットワークデバイスがユーザに要求されたネットワークスライスをサポートしないとき、ユーザ装置にネットワークスライスサービスを提供してユーザ体験を改善する方法が、解決されるべき緊急課題である。
【発明の概要】
【０００４】
本願は、ユーザ体験を改善するのに役立つ通信方法及び通信装置を提供する。
【０００５】
第１の態様によれば、通信方法が提供される。通信方法は、第１のアクセスネットワークノードが、コアネットワークノードに第１のメッセージを送信する段階であって、第１のメッセージは、第２のアクセスネットワークノードによってサポートされているネットワークスライスの識別情報を含む、送信する段階と、第１のアクセスネットワークノードが、コアネットワークノードによって送信される第１の応答メッセージを受信する段階であって、第１の応答メッセージは、第１のメッセージに対する応答メッセージである、受信する段階とを含む。
【０００６】
したがって、本願のこの実施形態における通信方法によれば、第１のアクセスネットワークノードは、コアネットワークノードに他のアクセスネットワークノードによってサポートされているネットワークスライスについての情報を報告し得、その結果、コアネットワークノードは、複数のアクセスネットワークノードによってサポートされているネットワークスライスについての情報を管理し得る。例えば、コアネットワークノードは、第１のアクセスネットワークノードによってサポートされているネットワークスライスセットに第２のアクセスネットワークノードによってサポートされているネットワークスライスについての情報を追加し得、又は、コアネットワークノードは、第２のアクセスネットワークノードによってサポートされているネットワークスライスセットに第１のアクセスネットワークノードによってサポートされているネットワークスライスについての情報を追加し得る。さらに、第１のアクセスネットワークノード及び第２のアクセスネットワークノードは、二重接続性を通じて端末デバイスにネットワークスライスサービスを提供し得る。これは、第１のアクセスネットワークノードがネットワークスライスをサポートしないが、第２のアクセスネットワークノードがネットワークスライスをサポートするときに、ネットワークスライスに対するサービス要求を直接拒否することに起因するユーザ体験に影響を与える問題を回避するのに役立つ。 
【０００７】
任意選択的に、本願のこの実施形態において、第１のメッセージは、ＲＡＮノードとＣＮノードとの間の通信に使用されるインタフェースメッセージ、例えば、ＮＧセットアップ要求（ＮＧ  ＳＥＴＵＰ  ＲＥＱＵＥＳＴ）メッセージ、ｇＮＢ設定更新（ＧＮＢ  ＣＯＮＦＩＧＵＲＡＴＩＯＮ  ＵＰＤＡＴＥ）メッセージ、又は、ＲＡＮ設定更新（ＲＡＮ  ＣＯＮＦＩＧＵＲＡＴＩＯＮ  ＵＰＤＡＴＥ）メッセージである。同様に第１の応答メッセージは、ＲＡＮノードとＣＮノードとの間の通信に使用されるインタフェースメッセージ、例えば、ＮＧセットアップ要求応答メッセージ、又はコアネットワーク設定更新メッセージである。
【０００８】
第１の態様に関連して、第１の態様のいくつかの可能な実装において、第１のメッセージは、コアネットワークノードに第１のアクセスネットワークノードによってサポートされている第１のネットワークスライスセットを更新することを命令するのに使用される。
【０００９】
具体的に言えば、第１のメッセージを受信した後、コアネットワークノードは、第１のメッセージに基づいて、第１のアクセスネットワークノードによってサポートされている第１のネットワークスライスセットを更新し、第１のアクセスネットワークノードによってサポートされているネットワークスライスセットに第２のアクセスネットワークノードによってサポートされているネットワークスライスを追加し、第１のアクセスネットワークノードと第２のアクセスネットワークノードとの間の二重接続を通して端末デバイスにネットワークスライスサービスを提供し、ユーザ体験を改善し得る。
【００１０】
第１の態様に関連して、第１の態様のいくつかの可能な実装において、第１のネットワークスライスセットは、第１のアクセスネットワークノードによってサポートされていないが、第２のアクセスネットワークノードによってサポートされているネットワークスライスを含む。
【００１１】
したがって、第１のアクセスネットワークノードがネットワークスライスをサポートしないが、第２のアクセスネットワークノードがネットワークスライスをサポートするとき、第１のアクセスネットワークノードは、第１のアクセスネットワークノードと第２のアクセスネットワークノードとの間の二重接続を通じて端末デバイスにネットワークスライスのサービスを提供し、ユーザ体験を改善し得る。
【００１２】
第１の態様に関連して、第１の態様のいくつかの可能な実装において、第１のネットワークスライスセットが、第１のアクセスネットワークノードによってサポートされているネットワークスライスの状態、及び第２のアクセスネットワークノードによってサポートされているネットワークスライスの状態に基づいて決定され、又は、第１のネットワークスライスセットが、第１のアクセスネットワークノードによってサポートされているネットワークスライスの状態、第２のアクセスネットワークノードによってサポートされているネットワークスライスの状態、及び端末デバイスがアクセスを要求する若しくはアクセスを許されているネットワークスライスの状態に基づいて決定される。
【００１３】
任意選択的に、本願のこの実施形態において、第１のメッセージが、端末デバイスが第１のアクセスネットワークノードへの接続を確立する前に送信され得（シナリオ１として示される）、又は端末デバイスが第１のアクセスネットワークノードへの接続を確立した後に送信され得る（シナリオ２として示される）。これは、本願のこの実施形態に限定されない。
【００１４】
シナリオ１において、第１のアクセスネットワークノードは、端末デバイスが第１のアクセスネットワークノードへの接続を確立するたびに、端末デバイスがアクセスを要求する又はアクセスを許されているネットワークスライスについての情報に基づいてコアネットワークノードに第１のメッセージを送信する必要がなく、第１のアクセスネットワークノードとコアネットワークノードとの間の情報交換を減少させる。
【００１５】
シナリオ２において、第１のアクセスネットワークノードは、端末デバイスがアクセスを要求する又はアクセスを許されているネットワークスライスについての情報を総合的に検討することによって情報を報告し得る。端末デバイスがアクセスを要求する又はアクセスを許されているネットワークスライス内の適切なネットワークスライスについての情報が、コアネットワークノードに送信される第１のメッセージに追加され、その結果、適切なネットワークスライスサービスが端末デバイスに提供され得る。
【００１６】
第１の態様に関連して、第１の態様のいくつかの可能な実装において、方法はさらに、第１のアクセスネットワークノードが、コアネットワークノードに端末デバイスによって送信される第２のメッセージを転送する段階であって、第２のメッセージは、コアネットワークノードに第２のネットワークスライスセット内のネットワークスライスに対応するサービス情報を構成することを要求するのに使用され、第２のネットワークスライスセットは、第１のネットワークスライスセット内の少なくとも１つのネットワークスライスを含む、転送する段階と、第１のアクセスネットワークノードが、コアネットワークノードによって送信される第２の応答メッセージを受信する段階であって、第２の応答メッセージは、第２のネットワークスライスセット内のネットワークスライスに対応するサービス情報を含む、受信する段階と、第１のアクセスネットワークノードが、第２のアクセスネットワークノードに第３のメッセージを送信する段階であって、第３のメッセージは、第２のネットワークスライスセット内にあり、かつ、第２のアクセスネットワークノードによってサポートされているネットワークスライスに対応するサービス情報を含む、送信する段階とを含む。
【００１７】
したがって、第１のアクセスネットワークノードがネットワークスライスをサポートしないが、第２のアクセスネットワークノードがネットワークスライスをサポートするときに、第１のアクセスネットワークノードは、第２のアクセスネットワークノードに、ネットワークスライスのコアネットワークノードによって設定されるサービス情報を転送し得、その結果、第２のアクセスネットワークノードは、ネットワークスライスのサービス情報を追加して、端末デバイスにネットワークスライスのサービスを提供する。
【００１８】
任意選択的に、第２のメッセージは、プロトコルデータユニット（ｐｒｏｔｏｃｏｌ  ｄａｔａ  ｕｎｉｔ、ＰＤＵ）セッション確立要求メッセージであり得、端末デバイスによって要求されたサービスに対応するリソースを設定することをコアネットワークノードに要求するのに使用される。例えば、端末デバイスは、アップリンクＲＲＣメッセージにＰＤＵセッション確立要求メッセージを追加し得る。
【００１９】
任意選択的に、第３のメッセージは、ＲＡＮノード間の通信に使用されるメッセージであり得る。例えば、第３のメッセージは、ＳＮ追加要求メッセージであり得る。ＳＮ追加要求メッセージは、端末デバイスに二重接続オペレーション又は多重接続オペレーションをサポートすること、すなわち、第１のアクセスネットワークノードと第２のアクセスネットワークノードとの間の二重接続、又は第１のアクセスネットワークノードとより多くのアクセスネットワークノードとの間の多重接続を通じて端末デバイスにサービスを提供することを第２のアクセスネットワークノードに要求するのにさらに使用され得る。
【００２０】
第１の態様に関連して、第１の態様のいくつかの可能な実装において、方法はさらに、第１のアクセスネットワークノードが、端末デバイスによって送信される第４のメッセージを受信する段階であって、第４のメッセージは、第２のアクセスネットワークノードによってサポートされているネットワークスライスの識別情報を含み、第２のアクセスネットワークノードによってサポートされているネットワークスライスの識別情報が、第２のアクセスネットワークノードによって端末デバイスに送信される、受信する段階を含む。
【００２１】
任意選択的に、本願のこの実施形態において、方法はさらに、第１のアクセスネットワークノードが、第２のアクセスネットワークノードに第１の要求メッセージを送信する段階であって、第１の要求メッセージが、第２のアクセスネットワークノードによってサポートされているネットワークスライスの識別情報を要求するのに使用される、送信する段階と、第１のアクセスネットワークノードが、第２のアクセスネットワークノードによって送信される第１の要求応答メッセージを受信する段階であって、第１の要求応答メッセージは、第２のアクセスネットワークノードによってサポートされているネットワークスライスの識別情報を含む、受信する段階とを含む。
【００２２】
任意選択的に、第１の要求メッセージは、ハンドオーバ要求メッセージであり得、又は、ＲＡＮノード間の通信に使用される他のメッセージであり得る。それに応じて、第１の要求応答メッセージは、ハンドオーバ要求確認応答メッセージであり得、又は、ＲＡＮノード間の通信に使用される他のメッセージであり得る。これは、本願のこの実施形態に限定されない。
【００２３】
任意選択的に、第１の要求メッセージは、第１のアクセスネットワークノードによってサポートされているネットワークスライスの識別情報を含み得る。したがって、通信システム内の通信インタフェースを有する任意の２つのアクセスネットワークノードは、上述の方式で、互いによってサポートされているネットワークスライスについての情報を認識し得る。
【００２４】
任意選択的に、本願のこの実施形態において、方法はさらに、第１のアクセスネットワークノードが、端末デバイスに第１のインタフェースメッセージを送信する段階であって、第１のインタフェースメッセージは、第１のアクセスネットワークノードによってサポートされているネットワークスライスの識別情報を含む、送信する段階と、第２のアクセスネットワークノードが、端末デバイスに第２のインタフェースメッセージを送信する段階であって、第２のインタフェースメッセージは、第２のアクセスネットワークノードによってサポートされているネットワークスライスの識別情報を含む、送信する段階と、端末デバイスが、第１のアクセスネットワークノードに第３のインタフェースメッセージを送信する段階であって、第３のインタフェースメッセージは、第２のアクセスネットワークノードによってサポートされているネットワークスライスの識別情報を含む、送信する段階とを含む。
【００２５】
したがって、通信インタフェースを有してない任意の２つのアクセスネットワークノードは、トランジットに端末デバイスを使用することによって、２つのアクセスネットワークノードによってサポートされているネットワークスライスの状態を交換し得る。
【００２６】
任意選択的に、第１のインタフェースメッセージは、システムメッセージであり得る。すなわち、第１のアクセスネットワークノードは、システムメッセージを使用することによって、第１のアクセスネットワークノードによってサポートされているネットワークスライスについての情報をブロードキャストし得、又は、システムメッセージを使用することによって、第１のアクセスネットワークノードの隣接するノードによってサポートされているネットワークスライスについての情報をブロードキャストし得る。代替的に、第１のインタフェースメッセージは、専用シグナリング、例えば、ＲＲＣメッセージ又は媒体アクセス制御（ｍｅｄｉａ  ａｃｃｅｓｓ  ｃｏｎｔｒｏｌ、ＭＡＣ）メッセージのような、端末デバイスとアクセスネットワークノードとの間の通信に使用されるメッセージであり得る。同様に、これはまた、第２のインタフェースメッセージに当てはまる。簡潔のために、詳細は再び説明されない。
【００２７】
任意選択的に、第３のインタフェースメッセージは、ＲＲＣメッセージ又はＭＡＣメッセージのようなエアインターフェイスメッセージであり得る。これは、本願のこの実施形態に限定されない。同様に、これはまた、第４のインタフェースメッセージに当てはまる。簡潔のために、詳細は再び説明されない。
【００２８】
任意選択的に、第１のインタフェースメッセージは、独立したメッセージであり得る。例えば、専用のシステムメッセージが追加されて、ネットワークスライスについての情報をブロードキャストし得る。代替的に、第１のインタフェースメッセージは、既存のメッセージであり得る。例えば、属性フィールドが既存のメッセージに追加されて、ネットワークスライスについての情報を搬送し得る。同様に、これはまた、第２のインタフェースメッセージに当てはまる。簡潔のために、詳細は再び説明されない。
【００２９】
任意選択的に、第３のインタフェースメッセージは、独立したメッセージであり得る。例えば、エアインターフェイスメッセージが追加されて、ネットワークスライスについての情報を送信し得る。代替的に、第３のインタフェースメッセージは、既存のエアインターフェイスメッセージであり得る。例えば、属性フィールドが既存のエアインターフェイスメッセージに追加されて、ネットワークスライスについての情報を搬送し得る。同様に、これはまた、第４のインタフェースメッセージに当てはまる。簡潔のために、詳細は再び説明されない。
【００３０】
任意選択的に、本願のこの実施形態において、方法はさらに、第１のアクセスネットワークノードが、コアネットワークノードに第１の通知メッセージを送信する段階であって、第１の通知メッセージは、第１のアクセスネットワークノードによってサポートされているネットワークスライスの識別情報を含む、送信する段階と、コアネットワークノードが、第１の確認応答メッセージで第１のアクセスネットワークノードに応答する段階であって、第１の確認応答メッセージは、第１のアクセスネットワークノードに第１の通知メッセージが受信されることを通知するのに使用される、応答する段階と、第２のアクセスネットワークノードが、コアネットワークノードに第２の通知メッセージを送信する段階であって、第２の通知メッセージは、第２のアクセスネットワークノードによってサポートされているネットワークスライスの識別情報を含む、送信する段階と、コアネットワークノードが、第２の確認応答メッセージで第２のアクセスネットワークノードに応答する段階であって、第２の確認応答メッセージは、第２のアクセスネットワークノードに第２の通知メッセージが受信されることを通知するのに使用される、応答する段階と、コアネットワークノードが、第１のアクセスネットワークノードに第３の通知メッセージを送信する段階であって、第３の通知メッセージは、第２のアクセスネットワークノードによってサポートされているネットワークスライスの識別情報を含む、送信する段階と、コアネットワークノードが、第２のアクセスネットワークノードに第４の通知メッセージを送信する段階であって、第４の通知メッセージは、第１のアクセスネットワークノードによってサポートされているネットワークスライスの識別情報を含む、段階とを含む。
【００３１】
したがって、通信インタフェースを有していない任意の２つのアクセスネットワークノードは、トランジットにコアネットワークノードを使用することによって、２つのアクセスネットワークノードによってサポートされているネットワークスライスの状態を交換し得る。
【００３２】
任意選択的に、第１の通知メッセージは、Ｎ２インタフェースメッセージ、例えば、Ｎ２インタフェースセットアップ要求メッセージ、ＲＡＮノード設定更新要求メッセージ、又はＲＡＮノードとＣＮノードとの間の通信に使用される他のメッセージであり得る。これは、本願のこの実施形態に限定されない。同様にこれはまた、第２の通知メッセージに当てはまる。簡潔にするために、詳細はここで再度説明しない。
【００３３】
それに応じて、第１の確認応答メッセージは、Ｎ２インタフェースメッセージ、例えば、Ｎ２インタフェースセットアップ応答メッセージ、ＣＮノード設定更新要求メッセージ、又はＲＡＮノードとＣＮノードとの間の通信に使用される他のメッセージであり得る。これは、本願のこの実施形態に限定されない。同様に、これはまた、第２の確認応答メッセージに当てはまる。簡潔にするために、詳細はここで再度説明しない。
【００３４】
任意選択的に、第１の通知メッセージは、独立したメッセージであり得る。例えば、専用メッセージが追加されて、ネットワークスライスについての情報を送信し得る。代替的に、第１の通知メッセージは、既存のメッセージであり得る。例えば、属性フィールドが既存のメッセージに追加されて、ネットワークスライスについての情報を搬送し得る。同様にこれはまた、他のメッセージに当てはまる。簡潔にするために、詳細はここで再度説明しない。
【００３５】
第２の態様によれば、通信方法が提供されて、通信方法は、コアネットワークノードが、第１のアクセスネットワークノードによって送信される第１のメッセージを受信する段階であって、第１のメッセージは、第２のアクセスネットワークノードによってサポートされているネットワークスライスの識別情報を含む、受信する段階と、コアネットワークノードが、第１のアクセスネットワークノードに第１の応答メッセージを送信する段階であって、第１の応答メッセージは、第１のメッセージに対する応答メッセージである、送信する段階とを含む。
【００３６】
したがって、本願のこの実施形態における通信方法によれば、コアネットワークノードは、他のアクセスネットワークノードによってサポートされているネットワークスライスについての、かつ、第１のアクセスネットワークノードによって報告される情報を受信し得、その結果、コアネットワークノードは、複数のアクセスネットワークノードによってサポートされているネットワークスライスについての情報を管理し得る。例えば、コアネットワークノードは、第１のアクセスネットワークノードによってサポートされているネットワークスライスセットに第２のアクセスネットワークノードによってサポートされているネットワークスライスについての情報を追加し得、又は、コアネットワークノードは、第２のアクセスネットワークノードによってサポートされているネットワークスライスセットに、第１のアクセスネットワークノードによってサポートされているネットワークスライスについての情報を追加し得る。さらに、第１のアクセスネットワークノード及び第２のアクセスネットワークノードは、二重接続性を通じて端末デバイスにネットワークスライスサービスを提供し得る。これは、第１のアクセスネットワークノードがネットワークスライスをサポートしないが、第２のアクセスネットワークノードがネットワークスライスをサポートするときに、ネットワークスライスに対するサービス要求を直接拒否することに起因するユーザ体験に影響を与える問題を回避するのに役立つ。
【００３７】
第２の態様に関連して、第２の態様のいくつかの可能な実装において、方法はさらに、コアネットワークノードが、第１のメッセージに基づいて、第１のアクセスネットワークノードによってサポートされている第１のネットワークスライスセットを更新する段階を含む。
【００３８】
第２の態様に関連して、第２の態様のいくつかの可能な実装において、第１のネットワークスライスセットは、第１のアクセスネットワークノードによってサポートされていないが、第２のアクセスネットワークノードによってサポートされているネットワークスライスを含む。
【００３９】
第２の態様に関連して、第２の態様のいくつかの可能な実装において、第１のネットワークスライスセットが、第１のアクセスネットワークノードによってサポートされているネットワークスライスの状態、及び第２のアクセスネットワークノードによってサポートされているネットワークスライスの状態に基づいて決定され、又は、第１のネットワークスライスセットが、第１のアクセスネットワークノードによってサポートされているネットワークスライスの状態、第２のアクセスネットワークノードによってサポートされているネットワークスライスの状態、及び端末デバイスがアクセスを要求する若しくはアクセスを許されているネットワークスライスの状態に基づいて決定される。
【００４０】
第２の態様に関連して、第２の態様のいくつかの可能な実装において、方法はさらに、コアネットワークノードが、第１のアクセスネットワークノードを使用することによって、端末デバイスによって送信される第２のメッセージを受信する段階であって、第２のメッセージは、コアネットワークノードに第２のネットワークスライスセット内のネットワークスライスに対応するサービス情報を構成することを要求するのに使用され、第２のネットワークスライスセットは、第１のネットワークスライスセット内の少なくとも１つのネットワークスライスを含む、受信する段階と、コアネットワークノードが、第１のアクセスネットワークノードに第２の応答メッセージを送信する段階であって、第２の応答メッセージは、第２のネットワークスライスセット内のネットワークスライスに対応するサービス情報を含む、送信する段階とを含む。
【００４１】
第３の態様によれば、通信方法が提供される。通信方法は、端末デバイスが、第２のアクセスネットワークノードによって送信される第５のメッセージを受信する段階であって、第５のメッセージは、第２のアクセスネットワークノードによってサポートされているネットワークスライスの識別情報を含む、受信する段階と、端末デバイスが、第１のアクセスネットワークノードに第４のメッセージを送信する段階であって、第４のメッセージは、第２のアクセスネットワークノードによってサポートされているネットワークスライスに対応するネットワークスライス識別子を含む、送信する段階とを含む。
【００４２】
したがって、端末デバイスがトランジットに使用され、２つのアクセスネットワークノードによってサポートされているネットワークスライスについての情報を交換し得る。
【００４３】
任意選択的に、第５のメッセージは、システムメッセージであり得る。すなわち、第２のアクセスネットワークノードは、システムメッセージを使用することによって、第２のアクセスネットワークノードによってサポートされているネットワークスライスについての情報をブロードキャストし得る。代替的に、第５のメッセージは、専用シグナリング、例えば、ＲＲＣメッセージ又は媒体アクセス制御（ｍｅｄｉａ  ａｃｃｅｓｓ  ｃｏｎｔｒｏｌ、ＭＡＣ）メッセージのような、端末デバイスとアクセスネットワークノードとの間の通信に使用されるメッセージであり得る。
【００４４】
任意選択的に、第４のメッセージは、ＲＲＣメッセージ又はＭＡＣメッセージのような、エアインターフェイスメッセージであり得る。これは、本願のこの実施形態に限定されない。
【００４５】
第４の態様によれば、通信装置が提供され、通信装置は、第１の態様若しくは第１の態様の可能な実装のいずれか１つによる方法を実行するよう構成され、又は、第２の態様若しくは第２の態様の可能な実装のいずれか１つによる方法を実行するよう構成され、又は、第３の態様若しくは第３の態様の可能な実装のいずれか１つによる方法を実行するよう構成される。具体的には、通信装置は、第１の態様若しくは第１の態様の可能な実装のいずれか１つによる方法を実行するよう構成されるユニット、又は、第２の態様若しくは第２の態様の可能な実装のいずれか１つによる方法を実行するよう構成されるユニット、又は、第３の態様若しくは第３の態様の可能な実装のいずれか１つによる方法を実行するよう構成されるユニットを含み得る。
【００４６】
第５の態様によれば、通信装置が提供され、通信装置は、メモリ及びプロセッサを含む。メモリは、コンピュータプログラムを記憶するよう構成され、プロセッサは、メモリからコンピュータプログラムを呼び出してコンピュータプログラムを実行するよう構成され、その結果、通信装置は、第１の態様若しくは第１の態様の可能な実装のいずれか１つによる方法を実行する、又は、第２の態様若しくは第２の態様の可能な実装のいずれか１つによる方法を実行する、又は、第３の態様若しくは第３の態様の可能な実装のいずれか１つによる方法を実行する。
【００４７】
第６の態様によれば、コンピュータプログラム製品が提供される。コンピュータプログラム製品は、コンピュータプログラムコードを含む。コンピュータプログラムコードが通信装置（例えば、ネットワークデバイス又は端末デバイス）の通信ユニット及び処理ユニット、又は送受信機及びプロセッサによって実行されるとき、通信装置は、第１から第３の態様又は第１から第３の態様の可能な実装のいずれか１つによる方法を実行することが可能である。
【００４８】
第７の態様によれば、コンピュータ可読記憶媒体が提供される。コンピュータ可読記憶媒体は、プログラムを記憶する。プログラムは、通信装置が第１から第３の態様又は第１から第３の態様の可能な実装のいずれか１つによる方法を実行することを可能にする。
【図面の簡単な説明】
【００４９】
【図１】本願の一実施形態による無線通信システムの概略図である。
【００５０】
【図２】本願の一実施形態による通信方法の概略相互作用図である。
【００５１】
【図３】本願の他の実施形態による通信方法の概略相互作用図である。
【００５２】
【図４】本願のさらなる他の実施形態による通信方法の概略相互作用図である。
【００５３】
【図５】本願のさらなる他の実施形態による通信方法の概略相互作用図である。
【００５４】
【図６】本願の一実施形態による通信装置の概略ブロック図である。
【００５５】
【図７】本願の一実施形態による通信装置の他の概略的ブロック図である。
【００５６】
【図８】本願の一実施形態による通信装置の概略ブロック図である。
【００５７】
【図９】本願の一実施形態による通信装置の他の概略的ブロック図である。
【００５８】
【図１０】本願の一実施形態による通信装置の概略ブロック図である。
【００５９】
【図１１】本願の一実施形態による通信装置の他の概略的ブロック図である。
【発明を実施するための形態】
【００６０】
添付図面を参照して、本願の技術的解決手段を以下で説明する。
【００６１】
本明細書で使用される「コンポーネント」、「モジュール」、及び「システム」のような用語は、コンピュータ関連エンティティ、ハードウェア、ファームウェア、ハードウェア及びソフトウェアの組み合わせ、ソフトウェア、又は実行されているソフトウェアを示すのに使用される。例えば、コンポーネントは、これらに限定されないが、プロセッサ上で実行するプロセス、プロセッサ、オブジェクト、実行可能ファイル、実行スレッド、プログラム、及び／又はコンピュータであり得る。図に示されるように、コンピューティングデバイス及びコンピューティングデバイス上で実行するアプリケーションの両方とも、コンポーネントであり得る。１又は複数のコンポーネントが、プロセス及び／又は実行スレッド内に存在し得、コンポーネントは、１つのコンピュータに位置し得、及び／又は、２又はそれより多くのコンピュータの間に分散され得る。加えて、コンポーネントが、様々なデータ構造を記憶する様々なコンピュータ可読媒体から実行され得る。例えば、コンポーネントは、１又は複数データパケット（例えば、ローカルシステム内の、分散システム内の、及び／又は信号を使用することによって他のシステムと相互作用するインターネットのようなネットワークを越えて、他のコンポーネントと相互作用する２つのコンポーネントからのデータ）を有する信号に基づいて、ローカル及び／又はリモートプロセスを使用することによって通信し得る。
【００６２】
本願の複数の実施形態が、例えば、グローバルシステムフォーモバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）、ロングタームエボリューション（ｌｏｎｇ  ｔｅｒｍ  ｅｖｏｌｕｔｉｏｎ、ＬＴＥ）システム、ロングタームエボリューションアドバンスド（ｌｏｎｇ  ｔｅｒｍ  ｅｖｏｌｕｔｉｏｎ  ａｄｖａｎｃｅｄ、ＬＴＥ−Ａ）システム、ユニバーサルモバイル通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ、ＵＭＴＳ）、又は、新無線（ｎｅｗ  ｒａｄｉｏ、ＮＲ）システム若しくは拡張型ＬＴＥ（ｅｖｏｌｖｅｄ  ＬＴＥ、ｅＬＴＥ）システムのような次世代通信システムである、ネットワークスライスアーキテクチャをサポートする様々な通信システムに適用され得ることが理解されるべきである。
【００６３】
図１は、本願の一実施形態が適用される無線通信システム１００を示す。無線通信システム１００は、ネットワークデバイス１１０を含み得る。
【００６４】
ネットワークデバイス１１０は、モバイルデバイスと通信する無線アクセスネットワーク（ｒａｄｉｏ  ａｃｃｅｓｓ  ｎｅｔｗｏｒｋ、ＲＡＮ）デバイス、又はコアネットワーク（ｃｏｒｅ  ｎｅｔｗｏｒｋ、ＣＮ）デバイスであり得る。ＲＡＮデバイスは、ＷＬＡＮ内のアクセスポイント（ａｃｃｅｓｓ  ｐｏｉｎｔ、ＡＰ）、若しくはＧＳＭ（登録商標）若しくはＣＤＭＡ内のベーストランシーバ基地局（ｂａｓｅ  ｔｒａｎｓｃｅｉｖｅｒ  ｓｔａｔｉｏｎ、ＢＴＳ）であり得、ＷＣＤＭＡ（登録商標）内のＮｏｄｅＢ（ＮｏｄｅＢ、ＮＢ）であり得、又は、ＬＴＥ内の進化型ＮｏｄｅＢ（ｅｖｏｌｕｔｉｏｎａｌ  ｎｏｄｅ  Ｂ、ｅＮＢ若しくはｅＮｏｄｅＢ）、中継局若しくはアクセスポイント、車載デバイス、ウェアラブルデバイス、将来の５Ｇネットワーク内のネットワークデバイス、若しくは、例えば、５Ｇコアネットワークデバイスに接続され得る基地局、送受信ポイント（Ｔｒａｎｓｍｉｓｓｉｏｎ  ａｎｄ  Ｒｅｃｅｐｔｉｏｎ  Ｐｏｉｎｔ、ＴＲＰ）、中央処理装置（ｃｅｎｔｒａｌｉｚｅｄ  ｕｎｉｔ、ＣＵ）、若しくは、分散処理ユニット（ｄｉｓｔｒｉｂｕｔｅｄ  ｕｎｉｔ、ＤＵ）である、将来の進化型ＰＬＭＮネットワーク内のネットワークデバイスであり得る。
【００６５】
ＣＮデバイスは、ＬＴＥ内のモビリティ管理エンティティ（ｍｏｂｉｌｅ  ｍａｎａｇｅｍｅｎｔ  ｅｎｔｉｔｙ、ＭＭＥ）及びゲートウェイ（ｇａｔｅｗａｙ）であり得、又は、例えば、共通制御プレーンネットワーク機能（ｃｏｍｍｏｎ  ＣＰ  ＮＦ、  ＣＣＮＦ）及びセッション管理ネットワーク機能（ｓｅｓｓｉｏｎ  ｍａｎａｇｅｍｅｎｔ  ＮＦ、ＳＭＮＦ）である、制御プレーン（ｃｏｎｔｒｏｌ  ｐｌａｎｅ、ＣＰ）ネットワーク機能（ｎｅｔｗｏｒｋ  ｆｕｎｃｔｉｏｎ、ＮＦ）及び５Ｇネットワーク内のユーザプレーン（ｕｓｅｒ  ｐｌａｎｅ、ＵＰ）ネットワーク機能であり得る。
【００６６】
本願のこの実施形態における通信システムは、二重接続性（ｄｕａｌ−ｃｏｎｎｅｃｔｉｖｉｔｙ、ＤＣ）又は多重接続性（ｍｕｌｔｉ−ｃｏｎｎｅｃｔｉｖｉｔｙ、ＭＣ）をサポートし得る。端末デバイスは、２又はそれより多くのネットワークデバイスへの接続を同時に確立し、パフォーマンス、例えば、端末デバイスのスループット、を改善し得る。
【００６７】
例えば、端末デバイスは、マスタノード（ｍａｓｔｅｒ  ｎｏｄｅ、ＭＮ）としてＬＴＥシステム内のネットワークノードを使用し得、スレーブノード（ｓｌａｖｅ  ｎｏｄｅ、ＳＮ）としてＮＲシステム内のネットワークノードを使用し得、次世代コアネットワーク（ｎｅｘｔ  ｇｅｎｅｒａｔｉｏｎ  ｃｏｒｅ  ｎｅｔｗｏｒｋ、ＮＧＣ）にＭＮ及びＳＮを同時に接続し得る。代替的に、端末デバイスは、ＭＮとしてＮＲシステム内のネットワークノードを使用し得、ＳＮとしてＬＴＥシステム内のネットワークノードを使用し得、ＮＧＣにＭＮ及びＳＮを同時に接続し得る。代替的に、ＭＮ及びＳＮは、同一通信システム内のネットワークノードであり得る。例えば、ＭＮ及びＳＮの両方とも、ＮＲシステム内のネットワークノードであり得、又はＬＴＥシステム内のネットワークノードであり得る。
【００６８】
加えて、本願のこの実施形態において、ネットワークデバイスは、セルにサービスを提供し、端末デバイスは、セルで使用される送信リソース（例えば、周波数ドメインリソース又はスペクトルリソース）を使用することによって、ネットワークデバイスと通信する。セルは、ネットワークデバイス（例えば、基地局）に対応するセルであり得る。セルは、マクロ基地局及びハイパーセル（ｈｙｐｅｒ  ｃｅｌｌ）に属し得、又は、スモールセル（ｓｍａｌｌ  ｃｅｌｌ）に対応する基地局に属し得る。本明細書でのスモールセルは、メトロセル（ｍｅｔｒｏ  ｃｅｌｌ）、マイクロセル（ｍｉｃｒｏ  ｃｅｌｌ）、ピコセル（ｐｉｃｏ  ｃｅｌｌ）、フェムトセル（ｆｅｍｔｏ  ｃｅｌｌ）、又は同様のものを含み得る。これらのスモールセルは、小さいカバレッジエリア及び低送信電力によって特徴付けられ、高レートデータ送信サービスを提供するのに適している。
【００６９】
無線通信システム１００は、ネットワークデバイス１１０のカバレッジエリア内に位置する少なくとも１つの端末デバイス１２０をさらに含む。端末デバイスはまた、ユーザ装置（ｕｓｅｒ  ｅｑｕｉｐｍｅｎｔ、ＵＥ）、アクセス端末、加入者ユニット、加入者局、モバイル局、モバイルコンソール、リモート局、リモート端末、モバイルデバイス、ユーザ端末、端末、無線通信デバイス、ユーザエージェント又はユーザ機器と称され得る。端末デバイスは、無線ローカルエリアネットワーク（ｗｉｒｅｌｅｓｓ  ｌｏｃａｌ  ａｒｅａ  ｎｅｔｗｏｒｋｓ、ＷＬＡＮ）内の局（ＳＴＡＴＩＯＮ、ＳＴＡ）であり得、又は、セルラ電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、携帯情報端末（ｐｅｒｓｏｎａｌ  ｄｉｇｉｔａｌ  ａｓｓｉｓｔａｎｔ、ＰＤＡ）デバイス、無線通信機能を有するハンドヘルドデバイス、中継デバイス、無線モデムに接続されるコンピューティングデバイス若しくは他の処理デバイス、車載デバイス、ウェアラブルデバイス、及び次世代通信システム、例えば、第５世代通信（ｆｉｆｔｈ−ｇｅｎｅｒａｔｉｏｎ、５Ｇ）ネットワーク内の端末デバイス若しくは将来の進化型地上波公共モバイル通信ネットワーク（ｐｕｂｌｉｃ  ｌａｎｄ  ｍｏｂｉｌｅ  ｎｅｔｗｏｒｋ、ＰＬＭＮ）内の端末デバイスであり得る。
【００７０】
限定ではなく例示の目的で、本願のこの実施形態において、端末デバイスは、代替的にウェアラブルデバイスであり得る。ウェアラブルデバイスはまた、ウェアラブルインテリジェントデバイスと称され得、ウェアラブル技術を使用することにより、日常の着用をインテリジェント設計することによって開発されたウェアラブルデバイス、例えば、眼鏡、手袋、時計、衣類、又は靴、の総称である。ウェアラブルデバイスは、ユーザの身体に直接装着できる、又は衣類若しくはアクセサリに結合できるポータブルデバイスである。ウェアラブルデバイスは、単にハードウェアデバイスであるだけでなく、ソフトウェアサポート、データ交換、及びクラウド相互作用を通じて強力な機能を実装するのに使用される。一般化されると、ウェアラブルインテリジェントデバイスは、スマートフォンに依存することなく全部又は一部の機能を実装できるフル機能の大型デバイス、例えば、スマートウォッチ又はスマートグラス、及び１つのタイプのアプリケーション機能にのみ集中し、スマートフォンのような他デバイスと連携する必要があるデバイス、例えば、物理シンボルをモニタリングするための様々なスマートバンド又はスマートジュエリー、を含む。
【００７１】
本願の複数の実施形態において提供される通信方法及び通信装置が、ネットワークデバイスに適用され得る。ネットワークデバイスは、アクセスネットワークデバイス及びコアネットワークデバイスを含み得る。ネットワークデバイスは、ハードウェア層と、ハードウェア層の上位で実行するオペレーティングシステム層と、オペレーティングシステム層の上位で実行するアプリケーション層を含む。ハードウェア層は、中央処理装置（ｃｅｎｔｒａｌ  ｐｒｏｃｅｓｓｉｎｇ  ｕｎｉｔ、ＣＰＵ）、メモリ管理ユニット（ｍｅｍｏｒｙ  ｍａｎａｇｅｍｅｎｔ  ｕｎｉｔ、ＭＭＵ）、及びメモリ（メインメモリとも称される）のようなハードウェアを含む。オペレーティングシステムは、プロセス（ｐｒｏｃｅｓｓ）、例えば、Ｌｉｎｕｘ（登録商標）オペレーティングシステム、Ｕｎｉｘ（登録商標）オペレーティングシステム、Ａｎｄｒｏｉｄ（登録商標）オペレーティングシステム、ｉＯＳオペレーティングシステム、又はＷｉｎｄｏｗｓ（登録商標）オペレーティングシステム、を使用することによって、サービス処理を実装する任意の１又は複数のコンピュータオペレーティングシステムであり得る。アプリケーション層は、ブラウザ、アドレス帳、テキスト処理ソフトウェア、及びインスタントメッセージングソフトウェアのようなアプリケーションを含む。加えて、本願の複数の実施形態において、通信方法の実行主体の特定構造が、本願の複数の実施形態における通信方法のコードを記録するプログラムが本願の複数の実施形態における通信方法による通信を実行すべく実行できるという条件で、本願の複数の実施形態において特に限定されない。例えば、本願の複数の実施形態における通信方法の実行主体は、ネットワークデバイス、又は、ネットワークデバイス内にあり、プログラムを呼び出して実行できる機能モジュールであり得る。
【００７２】
加えて、本願の複数の実施形態における態様又は特徴が、標準的プログラム及び／又は工学技術を使用する方法、装置、又は製品として実装され得る。本願で使用される用語「製品」は、任意コンピュータ可読コンポーネント、キャリア、又は媒体からアクセスされ得るコンピュータプログラムをカバーする。例えば、コンピュータ可読媒体は、これらに限定されないが、磁気ストレージコンポーネント（例えば、ハードディスク、フロッピー（登録商標）ディスク、又は磁気テープ）、光ディスク（例えば、コンパクトディスク（ｃｏｍｐａｃｔ  ｄｉｓｃ、ＣＤ）又はデジタル多用途ディスク（ｄｉｇｉｔａｌ  ｖｅｒｓａｔｉｌｅ  ｄｉｓｃ、ＤＶＤ））、スマートカード、及びフラッシュメモリコンポーネント（例えば、消去可能プログラマブルリードオンリメモリ（ｅｒａｓａｂｌｅ  ｐｒｏｇｒａｍｍａｂｌｅ  ｒｅａｄ・ｏｎｌｙ  ｍｅｍｏｒｙ、ＥＰＲＯＭ）、カード、スティック、又はキードライブ）を含み得る。加えて、本明細書で説明される様々な記憶媒体は、情報を記憶するよう構成される１又は複数のデバイス及び／又は他の機械可読媒体を示し得る。用語「機械可読媒体」は、これらに限定されないが、命令及び／又はデータを記憶し、含み、及び／又は搬送できる無線チャネル及び様々な他の媒体を含み得る。
【００７３】
以下では、図２から図５に関連して、本願の複数の実施形態による通信方法を詳細に説明する。
【００７４】
図２から図５は、本願の複数の実施形態による通信方法の概略的なフローチャートであり、方法の詳細な通信段階又はオペレーションを示すことが理解されるべきである。しかしながら、これらの段階又はオペレーションは単なる例示に過ぎない。本願の複数の実施形態において、図２から図５における他のオペレーション又はオペレーションの変形例が、さらに実行され得る。
【００７５】
加えて、図２及び図５における複数の段階が、図２及び図５に示される順序とは異なる順序において個別に実行され得、図２から図５における全てのオペレーションが実行される必要がない可能性がある。
【００７６】
図２は、本願の一実施形態による通信方法２００の概略相互作用図である。ここで、通信方法２００は、デバイス相互作用の観点から説明される。方法２００は、図１に示される通信システム１００に適用され得る。
【００７７】
図２に示されるように、通信方法２００は、以下の内容を含む。
【００７８】
Ｓ２０１．（ＲＡＮノード１として示される）第１のアクセスネットワークノードは、コアネットワークノードに第１のメッセージを送信する。ここで、第１のメッセージは、（ＲＡＮノード２として示される）第２のアクセスネットワークノードによってサポートされているネットワークスライスの識別情報を含む。
【００７９】
Ｓ２０２．第１のアクセスネットワークノードは、（ＣＮノードとして示される）コアネットワークノードによって送信される第１の応答メッセージを受信する。ここで、第１の応答メッセージは、第１のメッセージに対する応答メッセージである。
【００８０】
具体的に、コアネットワークノードは、第１のアクセスネットワークノードが属する通信システム内のコアネットワークノードである。第１のアクセスネットワークノードは、コアネットワークノードに、他のアクセスネットワークノードによってサポートされているネットワークスライスについての情報を報告し得、その結果、コアネットワークノードは、複数のアクセスネットワークノードによってサポートされているネットワークスライスについての情報を管理し得る。例えば、コアネットワークノードは、第１のアクセスネットワークノードによってサポートされているネットワークスライスセットに第２のアクセスネットワークノードによってサポートされているネットワークスライスについての情報を追加し得、又は、コアネットワークノードは、第２のアクセスネットワークノードによってサポートされているネットワークスライスセットに第１のアクセスネットワークノードよってサポートされているネットワークスライスについての情報を追加し得る。さらに、第１のアクセスネットワークノード及び第２のアクセスネットワークノードは、二重接続性を通じて端末デバイスにネットワークスライスサービスを提供し得る。これは、第１のアクセスネットワークノードがネットワークスライスをサポートしないが、第２のアクセスネットワークノードがネットワークスライスをサポートするときに、ネットワークスライスに対するサービス要求を直接拒否することに起因するユーザ体験に影響を与える問題を回避するのに役立つ。
【００８１】
本願のこの実施形態において、第１のアクセスネットワークノード及び第２のアクセスネットワークノードによってサポートされているセルは、同一又は異なる登録エリア及び／又はページングエリアに属し得ることが理解されるべきである。セルは、同一又は異なる登録エリア識別子及び／又はページングエリア識別子を有し得る。さらに、登録エリア及びページングエリアは、ネットワーク側が端末デバイスをページングするときに使用される。端末デバイスが新しい登録エリア及び／又はページングエリアに移動するとき、登録エリア／ページングエリア更新処理は、記憶された登録エリア及び／又はページングエリア識別子リストを更新するようトリガされ得る。
【００８２】
任意選択的に、本願のこの実施形態において、各ネットワークスライスの識別情報が、以下のパラメータのうちの少なくとも１つを使用することによって表され得る。
【００８３】
１．ネットワークスライスタイプ情報：例えば、ネットワークスライスタイプ情報は、進化型モバイルブロードバンド（ｅｎｈａｎｃｅｄ  ｍｏｂｉｌｅ  ｂｒｏａｄｂａｎｄ、ｅＭＢＢ）、超高信頼かつ低レイテンシな通信（ｕｌｔｒａ−ｒｅｌｉａｂｌｅ  ｌｏｗ  ｌａｔｅｎｃｙ  ｃｏｍｍｕｎｉｃａｔｉｏｎｓ、ＵＲＬＬＣ）、又は、大容量マシンタイプ通信（ｍａｓｓｉｖｅ  ｍａｃｈｉｎｅ  ｔｙｐｅ  ｃｏｍｍｕｎｉｃａｔｉｏｎ、ｍＭＴＣ）のような、ネットワークスライスタイプを示し得る。任意選択的に、ネットワークスライスタイプ情報は、ＲＡＮ−ＣＮネットワークスライスタイプを含むエンドツーエンドネットワークスライスタイプをさらに示し得、又は、ＲＡＮ側ネットワークスライスタイプ若しくはＣＮ側ネットワークスライスタイプを示し得る。
【００８４】
２．サービスタイプ情報：サービスタイプ情報は特定のサービスに関連している。例えば、サービスタイプ情報は、ビデオサービス、インターネットの車両サービス、音声サービス及び同様のもののサービス特性、又は、特定のサービスについての情報を示し得る。サービスタイプ情報及びネットワークスライスタイプ情報が情報の１つのタイプに組み合わされ得ることが理解されるべきである。
【００８５】
３．テナント（ｔｅｎａｎｔ）情報：テナント情報が、ネットワークスライス、例えば、Ｔｅｎｃｅｎｔ又はＳｔａｔｅ  Ｇｒｉｄを作成又は借りるユーザについての情報を示すのに使用される。
【００８６】
４．ユーザグループ情報：ユーザグループ情報が、特性、例えば、ユーザのレベル、に基づいて、ユーザをグループ化することによって取得されるグループ情報を示すのに使用される。
【００８７】
５．スライスグループ情報：スライスグループ情報が、ネットワークスライスが特性に基づいてグループ化される、例えば、端末デバイスによってアクセス可能な全てのネットワークスライスがスライスグループにグループ化され得る、こと、又は、ネットワークスライスが他の規格に従ってグループ化されることを示すのに使用される。
【００８８】
６．ネットワークスライスインスタンス情報：ネットワークスライスインスタンス情報が、ネットワークスライスのために作成されたインスタンスの識別子及び特性情報を示すのに使用される。例えば、ネットワークスライスインスタンスを示すべく、識別子がネットワークスライスインスタンスに割り当てられ得、又は、ネットワークスライスインスタンスと関連付けられるべく、ネットワークスライスインスタンスの識別子をマッピングすることを通じて新しい識別子が取得され得、この場合、受信当事者は、識別子に基づいて、識別子によって示される特定のネットワークスライスインスタンスを識別できる。
【００８９】
７．専用コアネットワーク（ｄｅｄｉｃａｔｅｄ  ｃｏｒｅ  ｎｅｔｗｏｒｋ、ＤＣＮ）識別子：識別子は、ＬＴＥシステム又はｅＬＴＥシステム内の専用コアネットワーク、例えば、モノのインターネットのための専用コアネットワーク、を一意に示すのに使用される。任意選択的に、マッピングがＤＣＮ識別子とネットワークスライス識別子との間で実行され得る。ネットワークスライス識別子は、ＤＣＮ識別子のマッピングを通じて取得され得、ＤＣＮ識別子はまた、ネットワークスライス識別子のマッピングを通じて取得され得る。
【００９０】
８．ネットワークスライス区分子（ｄｉｆｆｅｒｅｎｔｉａｔｏｒ）：ネットワークスライス区分子は、ネットワークスライスについての情報をさらに区分するのに使用される。任意選択的に、２又はそれより多くのネットワークスライスは、同一のネットワークスライスタイプ及び／又はサービスタイプを有するが、２又はそれより多くのネットワークスライスが、ネットワークスライス区分情報に基づいてさらに区分され得る。言い換えれば、ネットワークスライスタイプ情報及びネットワークスライス区分子の両方が、ネットワークスライスを識別するのに使用され得る。
【００９１】
本願のこの実施形態において、上述のパラメータの少なくとも１つが、第１のネットワークスライスセット内のネットワークスライスの識別情報を示すのに使用され得ることが理解されるべきである。例えば、ネットワークスライスの識別情報が、ネットワークスライスタイプによって表され得、又は、ネットワークスライスタイプ及びサービスタイプによって表され得、又は、サービスタイプ及びテナント情報によって表され得る。これは、本願のこの実施形態に限定されない。
【００９２】
任意選択的に、本願のこの実施形態において、第１のメッセージは、ＲＡＮノードとＣＮノードとの間の通信に使用されるインタフェースメッセージ、例えば、ＮＧセットアップ要求（ＮＧ  ＳＥＴＵＰ  ＲＥＱＵＥＳＴ）メッセージ、ｇＮＢ設定更新（ＧＮＢ  ＣＯＮＦＩＧＵＲＡＴＩＯＮ  ＵＰＤＡＴＥ）メッセージ、又はＲＡＮ設定更新（ＲＡＮ  ＣＯＮＦＩＧＵＲＡＴＩＯＮ  ＵＰＤＡＴＥ）メッセージである。それに応じて、第１の応答メッセージは、ＲＡＮノードとＣＮノードとの間の通信に使用されるインタフェースメッセージ、例えば、ＮＧセットアップ要求応答メッセージ又はコアネットワーク設定更新メッセージである。
【００９３】
任意選択的に、本願のこの実施形態において、第１のメッセージは、コアネットワークノードに第１のアクセスネットワークノードによってサポートされている第１のネットワークスライスセットを更新することを命令するのに使用され得る。
【００９４】
例えば、コアネットワークノードが第１のアクセスネットワークノードによってサポートされている第１のネットワークスライスセットに第２のアクセスネットワークノードによってサポートされているネットワークスライスの識別情報を追加し得る。このような方法で、ある意味では、第１のアクセスネットワークノードによってサポートされている第１のネットワークスライスセットは、第１のアクセスネットワークノード及び第２のアクセスネットワークノードによってサポートされているネットワークスライスのセットを含むとみなされ得る。例えば、一実装において、第１のアクセスネットワークノードは、第１のアクセスネットワークノードと第２のアクセスネットワークノードとの間の二重接続を通じて、端末デバイスにネットワークスライスサービスを提供し得る。
【００９５】
例えば、第１のアクセスネットワークノードが（ＮＳ１として示される）ネットワークスライス１及び（ＮＳ２として示される）ネットワークスライス２をサポートする場合、第１のアクセスネットワークノードによってサポートされている第１のネットワークスライスセットは、ＮＳ１及びＮＳ２を含む。第２のアクセスネットワークノードがＮＳ１及び（ＮＳ３として示される）ネットワークスライス３をサポートする場合、コアネットワークノードに送信される第１のメッセージに第１のアクセスネットワークノードがＮＳ１及びＮＳ３の識別情報を追加し得る（又は、ＮＳ３の識別情報のみを追加し得、すなわち、第１のアクセスネットワークノードによってサポートされていないが、第２のアクセスネットワークノードによってサポートされているネットワークスライスの識別情報のみを追加し得る）。したがって、コアネットワークノードは、第１のメッセージに基づいて、第１のアクセスネットワークノードによってサポートされている第１のネットワークスライスセットを更新し得る。例えば、コアネットワークノードは、第１のアクセスネットワークノードによってサポートされている第１のネットワークスライスセットに第２のアクセスネットワークノードによってサポートされているネットワークスライスを追加し得る。この場合、第１のネットワークスライスセットは、ＮＳ１、ＮＳ２、及びＮＳ３を含む。このような方法で、端末デバイスが第１のアクセスネットワークノードにＮＳ３のサービス要求メッセージを開始するとき、コアネットワークノードがサービス要求メッセージを直接拒否することは、防止され得る。さらに、第１のアクセスネットワークノードは、第２のアクセスネットワークノードを使用することによって、端末デバイスにＮＳ３のネットワークスライスサービスを提供し得る。言い換えれば、第１のアクセスネットワークノードは、他のアクセスネットワークノードで二重接続又は多重接続を確立し得、これにより、端末デバイスにより多くのネットワークスライスサービスを提供し、さらにユーザ体験を改善する。
【００９６】
本願のこの実施形態において、Ｓ２０１が、端末デバイスが第１のアクセスネットワークノードへの接続を確立する前に実行され得る（シナリオ１として示される）、又は、端末デバイスが第１のアクセスネットワークノードへの接続を確立した後に実行され得る（シナリオ２として示される）ことが留意されるべきである。これは、本願のこの実施形態に限定されない。
【００９７】
シナリオ１において、具体的に言えば、端末デバイスが第１のアクセスネットワークノードへの無線リソース制御（ｒａｄｉｏ  ｒｅｓｏｕｒｃｅ  ｃｏｎｔｒｏｌ、ＲＲＣ）接続を確立する前に、第１のアクセスネットワークノードは、前もって第１のアクセスネットワークノードの隣接するアクセスネットワークノードによってサポートされているネットワークスライスの状態を取得し得、その後、第１のメッセージを使用することによって、前もってコアネットワークノードに取得した情報を報告し得、その結果、コアネットワークノードは、第１のアクセスネットワークノードによってサポートされている第１のネットワークスライスセットに隣接するアクセスネットワークノードによってサポートされているネットワークスライスについての情報を追加し得る。このような方法で、端末デバイスが第１のアクセスネットワークノードへの接続を確立した後、端末デバイスが第１のアクセスネットワークノードによってサポートされていないネットワークスライスのサービス要求メッセージを開始する場合、コアネットワークノードは、サービス要求メッセージを拒否しない場合がある。さらに、第１のアクセスネットワークノードは、他のアクセスネットワークノードで二重接続又は多重接続を確立することによって端末デバイスにネットワークスライスサービスを提供し、ユーザ体験を改善し得る。したがって、シナリオ１において、第１のアクセスネットワークノードは、端末デバイスが第１のアクセスネットワークノードへの接続を確立するたびに、端末デバイスがアクセスを要求する又はアクセスを許されているネットワークスライスについての情報と組み合わせてコアネットワークノードに第１のメッセージを送信する必要がなく、第１のアクセスネットワークノードとコアネットワークノードとの間の情報交換を減少させるのに役立つ。
【００９８】
シナリオ２において、具体的に言えば、端末デバイスが第１のアクセスネットワークノードへの接続を確立した後、第１のアクセスネットワークノードは、端末デバイスがアクセスを要求する又はアクセスを許されているネットワークスライスについての情報を認識し得る。第１のアクセスネットワークノードは、コアネットワークノードに第１のメッセージを送信し得る。第１のメッセージは、隣接するアクセスネットワークノードによってサポートされているネットワークスライスの、第１のアクセスネットワークノードによって取得される識別情報を含み得る。任意選択的に、シナリオ２において、第１のメッセージは、端末デバイスがアクセスを要求する又はアクセスを許されているネットワークスライスの識別情報をさらに含み得る。端末デバイスは、第１のメッセージを使用することによって、コアネットワークノードに第１のアクセスネットワークノードによってサポートされている第１のネットワークスライスセットを更新することを命令し、コアネットワークノードが第１のアクセスネットワークノードによってサポートされていないネットワークスライスの端末デバイスのサービス要求メッセージを直接拒否することを防止する。ここで、直接拒否することは、ユーザ体験に影響を与える。したがって、シナリオ２において、第１のアクセスネットワークノードは、端末デバイスがアクセスを要求する又はアクセスを許されているネットワークスライスについての情報を総合的に検討することによって、情報を報告し得る。端末デバイスがアクセスを要求する又はアクセスを許されているネットワークスライス内の適切なネットワークスライスについての情報が、コアネットワークノードに送信される第１のメッセージに追加され、その結果、適切なネットワークスライスサービスが、端末デバイスに提供され得る。
【００９９】
言い換えれば、本願のこの実施形態において、第１のアクセスネットワークノードによってサポートされている第１のネットワークスライスセットが、第１のアクセスネットワークノードによってサポートされているネットワークスライスの状態及び第２のアクセスネットワークノードによってサポートされているネットワークスライスの状態に基づいて決定され得る。代替的に、第１のネットワークスライスセットが、第１のアクセスネットワークノードによってサポートされているネットワークスライスの状態、第２のアクセスネットワークノードによってサポートされているネットワークスライスの状態、及び端末デバイスがアクセスを要求する又はアクセスを許されているネットワークスライスの状態に基づいて決定され得る。
【０１００】
シナリオ１において、第１のメッセージは、第２のアクセスネットワークノードによってサポートされているネットワークスライスの識別情報を含み得、又は、第１のアクセスネットワークノードによってサポートされていないが、第２のアクセスネットワークノードによってサポートされているネットワークスライスの識別情報を含み得ることが理解されるべきである。代替的に、第２のアクセスネットワークノードによってサポートされているネットワークスライスセットが、第１のアクセスネットワークノードによってサポートされているネットワークスライスセットのサブセットである場合、第１のアクセスネットワークノードは、第２のアクセスネットワークノードによってサポートされているネットワークスライスの識別情報を報告しない場合がある。シナリオ２において、第１のメッセージに含まれる情報はまた、シナリオ１における情報内容であり得る。代替的に、シナリオ２において、第１のアクセスネットワークノードは、端末デバイスがアクセスを要求する又はアクセスを許されているネットワークスライスについての情報と組み合わせて情報を報告し得る。例えば、第１のメッセージは、端末デバイスがアクセスを要求する又はアクセスを許されているネットワークスライス内の、第１のアクセスネットワークノードによってサポートされていないネットワークスライスについての情報を含み得、又は、端末デバイスがアクセスを要求する又はアクセスを許されているネットワークスライス内の、第１のアクセスネットワークノードによってサポートされていないが、第２のアクセスネットワークノードによってサポートされているネットワークスライスについての情報を含み得る。これは、本願のこの実施形態に限定されない。
【０１０１】
任意選択的に、いくつかの実施形態において、方法２００は、以下の段階をさらに含み得る。
【０１０２】
Ｓ２０３．端末デバイスは、第１のアクセスネットワークノードに通知メッセージを送信する。ここで、通知メッセージは、端末デバイスがアクセスを要求する又はアクセスを許されているネットワークスライスの識別情報を含む。
【０１０３】
具体的には、端末デバイスがアクセスを要求する又はアクセスを許されているネットワークスライスを含むセットは、第３のネットワークスライスセットとして示される。第３のネットワークスライスセットは、第１のアクセスネットワークノードによってサポートされていないネットワークスライスを含み得る。端末デバイスは、第１のアクセスネットワークノードに第３のネットワークスライスセット内のネットワークスライスの識別情報を通知し得、その結果、第１のアクセスネットワークノードは、隣接するアクセスネットワークノードによってサポートされているネットワークスライス及び第３のネットワークスライスセットの状態に基づいて、第１のアクセスネットワークノード及び隣接するアクセスネットワークノードが第３のネットワークスライスセット内の各ネットワークスライスを共同でサポートできるか否かを決定し得る。第１のアクセスネットワークノード及び隣接するアクセスネットワークノードが、第３のネットワークスライスセット内の各ネットワークスライスを共同でサポートできる場合、第１のアクセスネットワークノードは、隣接するアクセスネットワークノードとの二重接続又は多重接続を通じて、端末デバイスにネットワークスライスサービスを提供し得る。例えば、第１のアクセスネットワークノードがＮＳ１及びＮＳ２をサポートするがＮＳ３をサポートしない場合、及び、第２のアクセスネットワークノードがＮＳ３をサポートすることを第１のアクセスネットワークノードが認識する場合、第１のアクセスネットワークノードは、第１のアクセスネットワークノードと第２のアクセスネットワークノードとの間の二重接続を通じて端末デバイスにＮＳ３のサービスを提供し得る。
【０１０４】
任意選択的に、本願のこの実施形態において、通知メッセージは、無線リソース制御（ｒａｄｉｏ  ｒｅｓｏｕｒｃｅ  ｃｏｎｔｒｏｌ、ＲＲＣ）メッセージ、例えば、ＲＲＣ接続要求（ＲＲＣ  ｃｏｎｎｅｃｔｉｏｎ  ｒｅｑｕｅｓｔ）メッセージ若しくはＲＲＣ接続再確立要求（ＲＲＣ  ｃｏｎｎｅｃｔｉｏｎ  ｒｅｅｓｔａｂｌｉｓｈｍｅｎｔ  ｒｅｑｕｅｓｔ）メッセージ、であり得、又は、ＲＲＣ接続セットアップ完了（ＲＲＣ  ｃｏｎｎｅｃｔｉｏｎ  ｓｅｔｕｐ  ｃｏｍｐｌｅｔｅ）情報であり得る。ＲＲＣ接続要求メッセージは、ネットワークデバイスへの接続を確立することを要求するのに使用され、ＲＲＣ接続再確立要求メッセージは、ネットワークデバイスへの接続を再確立することを要求するのに使用され、ＲＲＣ接続セットアップ完了情報は、ネットワークデバイスへの接続の確立が完了したことを示すのに使用される。
【０１０５】
任意選択的に、第１のアクセスネットワークノード及び第２のアクセスネットワークノードによってサポートされているネットワークスライスのセットが、端末デバイスがアクセスを要求する又はアクセスを許されている第３のネットワークスライスセット内の全てのネットワークスライスにサービスを依然として提供できない場合、第１のアクセスネットワークノードは、他のアクセスネットワークノードによってサポートされているネットワークスライスの状態と組み合わせて、端末デバイスにネットワークスライスサービスをさらに提供し得る。例えば、第１のアクセスネットワークノードは、コアネットワークノードに、第３のアクセスネットワークノードによってサポートされているネットワークスライスの識別情報をさらに報告し得、その結果、コアネットワークノードは、第１のアクセスネットワークノードによってサポートされている第１のネットワークスライスセットに第３のアクセスネットワークノードによってサポートされているネットワークスライスを追加する。
【０１０６】
例えば、第３のネットワークスライスセットは、ＮＳ１、ＮＳ２、ＮＳ３、ＮＳ４、及びＮＳ５を含む。第１のアクセスネットワークノードがＮＳ１及びＮＳ２をサポートし、第２のアクセスネットワークノードがＮＳ１及びＮＳ３をサポートする場合、第１のアクセスネットワークノード及び第２のアクセスネットワークノードによってサポートされているネットワークスライスのセットは、ＮＳ１、ＮＳ２、及びＮＳ３であり、ＮＳ４及びＮＳ５はまだサポートされていない。この場合、第１のアクセスネットワークノードは、ＮＳ４及びＮＳ５をサポートするアクセスネットワークノードをさらに検索し得る。第３のアクセスネットワークノードがＮＳ４及びＮＳ５をサポートする場合、第１のアクセスネットワークノードは、コアネットワークノードに第３のアクセスネットワークノードによってサポートされているネットワークスライスの識別情報を報告し得、その結果、コアネットワークノードは、第１のネットワークスライスセットにＮＳ４及びＮＳ５を追加し得る。さらに、第１のアクセスネットワークノードは、ＭＮとして使用され得、第２のアクセスネットワークノード及び第３のアクセスネットワークノードは、ＳＮとして使用され得、多重接続を通じてネットワークスライスサービスを端末デバイスに提供する。
【０１０７】
任意選択的に、本願のこの実施形態において、方法２００は、以下の段階をさらに含み得る。
【０１０８】
Ｓ２０４．第１のアクセスネットワークノードは、コアネットワークノードに端末デバイスによって送信される第２のメッセージを転送する。ここで、第２のメッセージは、コアネットワークノードに第２のネットワークスライスセット内のネットワークスライスに対応するサービス情報を構成することを要求するのに使用され、第２のネットワークスライスセットは、第１のネットワークスライスセット内の少なくとも１つのネットワークスライスを含む。
【０１０９】
Ｓ２０５．第１のアクセスネットワークノードは、コアネットワークノードによって送信される第２の応答メッセージを受信する。ここで、第２の応答メッセージは、第２のネットワークスライスセット内のネットワークスライスに対応するサービス情報を含む。
【０１１０】
Ｓ２０６．第１のアクセスネットワークノードは、第２のアクセスネットワークノードに第３のメッセージを送信する。ここで、第３のメッセージは、第２のネットワークスライスセット内にあり、かつ、第２のアクセスネットワークノードによってサポートされているネットワークスライスに対応するサービス情報を含む。
【０１１１】
具体的に、端末デバイスが第１のアクセスネットワークノードへの接続を確立した後、端末デバイスがサービス要求を有するとき、端末デバイスは、第１のアクセスネットワークノードを使用することによって、コアネットワークノードに第２のメッセージを送信し得る。第２のメッセージは、第２のネットワークスライスセット内のネットワークスライスに対応するサービス情報を設定することを要求するのに使用される。第２のネットワークスライスセットは、第１のアクセスネットワークノードによってサポートされていないが、第２のアクセスネットワークノードによってサポートされているネットワークスライスを含み得る。
【０１１２】
任意選択的に、第２のメッセージは、プロトコルデータユニット（ｐｒｏｔｏｃｏｌ  ｄａｔａ  ｕｎｉｔ、ＰＤＵ）セッション確立要求メッセージであり得、端末デバイスによって要求されたサービスに対応するリソースを設定することをコアネットワークノードに要求するのに使用される。例えば、端末デバイスは、アップリンクＲＲＣメッセージにＰＤＵセッション確立要求メッセージを追加し得る。アップリンクＲＲＣメッセージを受信した後、第１のアクセスネットワークノードは、対応するコアネットワークノードに、アップリンクＲＲＣメッセージに保持されるＰＤＵセッション確立要求メッセージを転送する。第２のメッセージを受信した後、コアネットワークノードは、第２のメッセージに基づいてＰＤＵセッション確立処理を開始して、第２のネットワークスライスセット内のネットワークスライスに対応するサービス情報を設定し得、その後、第１のアクセスネットワークノードに第２の応答メッセージを送信し得る。第２の応答メッセージは、第２のネットワークスライスセット内のネットワークスライスに対応するサービス情報を含む。具体的には、第２の応答メッセージは、少なくとも１つのＰＤＵセッション情報を含み得る。少なくとも１つのＰＤＵセッション情報は、第２のネットワークスライスセット内の少なくとも１つのネットワークスライスに対応する。各ＰＤＵセッション情報は、以下の情報のうちの少なくとも１つを含み得る。
１．ＰＤＵセッションを一意に識別するのに使用されるＰＤＵセッション識別子
２．ＰＤＵセッションに対応するネットワークスライスを示すのに使用されるネットワークスライス識別子
３．ＰＤＵセッションレベルフロー制御に使用されるＰＤＵセッションリソースの総合最大ビットレート
４．ＰＤＵセッションに対応するトランスポート層アドレスを示すのに使用されるトランスポート層アドレス
５．トランスポート層でＰＤＵセッションに対応するポート番号を示すのに使用されるポート番号
６．ＱｏＳフロー指示及びＱｏＳパラメータを含むサービス品質（ｑｕａｌｉｔｙ−ｏｆ−ｓｅｒｖｉｃｅ、ＱｏＳ）フロー情報
【０１１３】
その後、第１のアクセスネットワークノードは、第２の応答メッセージに基づいて、第２のネットワークスライスセット内の少なくとも１つのネットワークスライスに対応するサービス情報を取得し得る。第２のネットワークスライスセットは、第１のアクセスネットワークノードによってサポートされていない、例えば、少なくとも１つのネットワークスライスが第１のアクセスネットワークノードに配備されていない、少なくとも１つのネットワークスライスを含む場合、又は、第１のアクセスネットワークノードが、制限されたリソースに起因して、少なくとも１つのネットワークスライスに対応する少なくとも１つのネットワークスライス若しくは少なくとも１つのＰＤＵセッションを一時的にサポートできない場合、少なくとも１つのネットワークスライスが追加されるべきネットワークスライスとして示される。第１のアクセスネットワークノードが、隣接するアクセスネットワークノードによってサポートされているネットワークスライスについての情報に基づいて、サポートしている第２のアクセスネットワークノードを決定する場合、二重接続又は多重接続は、追加されるべきネットワークスライスをサポートする。さらに、Ｓ２０６において、第１のアクセスネットワークノードは、第２のアクセスネットワークノードに第３のメッセージを送信する。第３のメッセージは、追加されるべきネットワークスライスに対応するサービス情報を含む。第２のアクセスネットワークノードは、第３のメッセージに基づいて、追加されるべきネットワークスライスに対応するサービス情報を追加し得る。
【０１１４】
第３のメッセージは、第２のネットワークスライスセット内の第２のアクセスネットワークノードによってサポートされているネットワークスライスに対応するサービス情報を含み得ること（この場合、第３のメッセージは、第１のアクセスネットワークノード及び第２のアクセスネットワークノードの両方によってサポートされているネットワークスライスに対応するサービス情報を含み得る）が理解されるべきである。代替的に、第３のメッセージは、第２のネットワークスライスセット内の、第１のアクセスネットワークノードによってサポートされていないが第２のアクセスネットワークノードによってサポートされているネットワークスライスに対応するサービス情報のみを含み得る。代替的に、第３のメッセージは、第２のアクセスネットワークノードによってサポートされているネットワークスライスに対応するサービス情報及び第１のアクセスネットワークノードによってサポートされているネットワークスライスに対応するサービス情報を含み得る。言い換えれば、第１のアクセスネットワークノードは、第２のアクセスネットワークノードに全てのネットワークスライスに対応し、コアネットワークノードによって設定されるサービス情報を送信し得る。第２のアクセスネットワークノードは、サポートされているネットワークスライスを決定し、その後、サポートされているネットワークスライスに対応するサービス情報を追加し得る。
【０１１５】
例えば、第２のネットワークスライスセットがＮＳ１、ＮＳ２、及びＮＳ４を含む場合、第１のアクセスネットワークノードは、ＮＳ１、ＮＳ２、及びＮＳ３をサポートし、第２のアクセスネットワークノードは、ＮＳ１、ＮＳ４、及びＮＳ５をサポートし、第３のメッセージは、少なくともＮＳ４に対応するＰＤＵセッションを含む。第１のアクセスネットワークノード及び第２のアクセスネットワークノードの両方がＮＳ１をサポートするので、第１のアクセスネットワークノードはＮＳ１のサービスを提供し得、又は第２のアクセスネットワークノードはＮＳ１のサービスを提供し得る。したがって、第３のメッセージは、ＮＳ１に対応するＰＤＵセッションを含み得、又はＮＳ１に対応するＰＤＵセッションを含まない場合がある。例えば、第１のアクセスネットワークノードは、第１のアクセスネットワークノードのネットワークがビジーであるとき、第２のアクセスネットワークノードが端末デバイスにＮＳ１のサービスを提供することを決定し得、その後、第３のメッセージにＮＳ１に対応するＰＤＵセッションを追加する。第２のアクセスネットワークノードは、ＰＤＵセッションを追加する。代替的に、第３のメッセージは、コアネットワークノードによって確立された全てのＰＤＵセッションを含み得、具体的に言えば、ＮＳ１、ＮＳ２、及びＮＳ４にそれぞれ対応するＰＤＵセッションを含む。第２のアクセスネットワークノードは、第２のアクセスネットワークノードによってサポートされているネットワークスライスの状態に基づいて、追加され得るＰＤＵセッションを決定する。
【０１１６】
任意選択的に、本願のこの実施形態において、第３のメッセージは、ＲＡＮノード間の通信に使用されるメッセージであり得る。例えば、第３のメッセージは、ＳＮ追加要求メッセージであり得る。ＳＮ追加要求メッセージは、端末デバイスに二重接続オペレーション又は多重接続オペレーションをサポートすべく、第２のアクセスネットワークノードを要求するのにさらに使用され得る。すなわち、第１のアクセスネットワークノードと第２のアクセスネットワークノードとの間の二重接続、又は第１のアクセスネットワークノードとより多くのアクセスネットワークノードとの間の多重接続を通じて、サービスが端末デバイスに提供される。
【０１１７】
任意選択的に、第３のメッセージは、以下の情報のうちの少なくとも１つを含み得る。
１．第２のアクセスネットワークノードに端末デバイスのセキュリティ能力を通知するのに使用されるＵＥセキュリティ能力
２．ユーザデータを暗号化して解読するのに第２のアクセスネットワークノードによって使用されるＳＮに適用可能なセキュリティキー
３．ＳＮに適用可能な端末デバイスの総合最大ビットレートであって、ＵＥの総合最大ビットレートがＭＮに適用可能なＵＥの総合最大ビットレート及びＳＮに適用可能なＵＥの総合最大ビットレートに分割される、
４．追加されるのに必要なＰＤＵセッションについての情報及び／又はＰＤＵセッションに対応するベアラ情報であって、例えば、セカンダリセルグループ（ｓｅｃｏｎｄａｒｙ  ｃｅｌｌ  ｇｒｏｕｐ、ＳＣＧ）ベアラのＰＤＵセッション情報、分割（ｓｐｌｉｔ）ベアラ、ＳＣＧ分割ベアラ、及び同様のものが含まれ得る、情報、
５．ＵＥ側のＳＣＧである、ＭＮによって生成された設定情報を含み、コンテナによって搬送される設定情報に基づいてＵＥのエアインタフェース設定を実行するのにＳＮによって使用されるＭＮ−ＳＮコンテナ（ｃｏｎｔａｉｎｅｒ）
【０１１８】
例えば、第２のメッセージがＮＳ１、ＮＳ２、及びＮＳ３のサービス情報を設定することを要求するのに使用され、第１のアクセスネットワークノードがＮＳ１及びＮＳ２をサポートし、第２のアクセスネットワークノードがＮＳ３をサポートする。コアネットワークノードが第２のメッセージに基づいて、ＮＳ１、ＮＳ２、及びＮＳ３にそれぞれ対応するＰＤＵセッション１、ＰＤＵセッション２、及びＰＤＵセッション３を確立する場合、コアネットワークノードは、第２の応答メッセージを使用することによって、第１のアクセスネットワークデバイスにＰＤＵセッションについての情報を送信する。第１のアクセスネットワークノードがＮＳ３をサポートしないが、第２のアクセスネットワークノードがＮＳ３をサポートするので、第１のアクセスネットワークノードは、第２のアクセスネットワークノードに第３のメッセージを送信し得る。第３のメッセージは、端末デバイスにＮＳ３のネットワークスライスサービスを提供すべく、第２のアクセスネットワークノードにＰＤＵセッションを追加することを命令するのに使用されるＰＤＵセッション３についての情報を含み得る。
【０１１９】
さらに、Ｓ２０７において、第２のアクセスネットワークノードは、第１のアクセスネットワークノードに第３の応答メッセージを送信する。
【０１２０】
任意選択的に、第３の応答メッセージは、ＳＮ追加要求確認応答メッセージであり得、又はＲＡＮノードの間の通信に使用される他のメッセージであり得る。第３の応答メッセージは、追加されることが許されているＰＤＵセッションについての情報を含み得る。ＰＤＵセッションについての情報は、上述の実施形態におけるＰＤＵセッションについての情報に含まれる内容を含み得る。詳細はここで再度説明しない。
【０１２１】
したがって、本願のこの実施形態における通信方法によれば、コアネットワークノードは、第２のアクセスネットワークノードによってサポートされているネットワークスライスの識別情報に基づいて、第１のアクセスネットワークノードによってサポートされている第１のネットワークスライスセットを更新する。言い換えれば、第１のアクセスネットワークノードは、第１のアクセスネットワークノードと第２のアクセスネットワークノードとの間の二重接続を通じて端末デバイスにネットワークスライスサービスを提供し得る。このような方法で、端末デバイスが第１のアクセスネットワークノードによってサポートされていないが、第２のアクセスネットワークノードによってサポートされているネットワークスライスのサービス要求を開始するとき、コアネットワークノードは要求メッセージを拒否しない場合があり、さらに、第１のアクセスネットワークノードは、第１のアクセスネットワークノードと第２のアクセスネットワークノードとの間の二重接続を通じて端末デバイスにネットワークスライスサービスを提供し得る。第１のアクセスネットワークノードが端末デバイスによって要求されるネットワークスライスをサポートしないときにコアネットワークノードが要求メッセージを直接拒否する従来技術と比較されると、本願は、ユーザ体験を改善するのに役立つ。
【０１２２】
任意選択的に、いくつかの実施形態において、方法２００は以下の段階をさらに含み得る。
【０１２３】
Ｓ２０８．第１のアクセスネットワークノードは、端末デバイスに第６のメッセージを送信する。ここで、第６のメッセージは、端末デバイスの二重接続又は多重接続を設定するのに使用される。
【０１２４】
任意選択的に、第６のメッセージは、ＲＲＣ再設定（ＲＲＣ  ｒｅｃｏｎｆｉｇｕｒａｔｉｏｎ）メッセージであり得、又は、端末デバイスとＲＡＮノードとの間の通信に使用される他のメッセージであり得る。これは、本願のこの実施形態に限定されない。
【０１２５】
その後、端末デバイスは、第２のアクセスネットワークノード上のデータを受信し得、例えば、第２のアクセスネットワークノードのシステム情報を取得し得る。システム情報は、第２のアクセスネットワークノードによってサポートされている登録／追跡エリア識別情報（登録／追跡エリアコード）を含み得る。
【０１２６】
任意選択的に、いくつかの実施形態において、端末デバイスが、第２のアクセスネットワークノードの登録／追跡エリア識別情報が端末デバイスの登録／追跡エリアリスト内にないことを決定した場合、方法２００は、以下の段階をさらに含み得る。
【０１２７】
Ｓ２０９．端末デバイスは、第１のアクセスネットワークノードを使用することによって、コアネットワークノードに第７のメッセージを送信する。ここで、第７のメッセージは、登録／追跡エリア更新処理を開始し、端末デバイスの登録／追跡エリアリストに第２のアクセスネットワークノードの登録／追跡エリア情報を追加するのに使用される。
【０１２８】
第７のメッセージは、追跡エリア更新（ｔｒａｃｋｉｎｇ  ａｒｅａ  ｕｐｄａｔｅ、ＴＡＵ）要求メッセージであり得る。第７のメッセージは、以下のパラメータのうちの少なくとも１つを含み得る。
１．非アクセス層（ｎｏｎ−ａｃｃｅｓｓ  ｓｔｒａｔｕｍ、ＮＡＳ）のキー指示
２．古いグローバル固有ユーザ一時識別情報
３．不連続受信（ｄｉｓｃｏｎｔｉｎｕｏｕｓ  ｒｅｃｅｐｔｉｏｎ、ＤＲＸ）パラメータ
【０１２９】
さらに、Ｓ２１０において、コアネットワークノードは、第１のアクセスネットワークノードを使用することによって、第７の応答メッセージで端末デバイスに応答する。ここで、第７の応答メッセージは、端末デバイスによって開始される登録／追跡エリア更新要求を承諾又は拒否するのに使用される。
【０１３０】
第７の応答メッセージは、以下のパラメータのうちの少なくとも１つを含み得る。
１．登録／追跡エリア識別情報リスト
２．拒否理由
３．ＤＲＸパラメータ
【０１３１】
任意選択的に、第７の応答メッセージは、既存のＬＴＥシステム又は５Ｇシステムにおける登録／追跡エリア要求メッセージに含まれる情報の一部又は全部をさらに含み得る。これは、本願のこの実施形態において具体的に限定されない。
【０１３２】
上述の実施形態から、第１のアクセスネットワークノードがコアネットワークノードに第２のアクセスネットワークノードによってサポートされているネットワークスライスの識別情報を報告し得ることが認識され得る。したがって、Ｓ２０１の前に、第１のアクセスネットワークノードは、第２のアクセスネットワークノードによってサポートされているネットワークスライスの識別情報を取得することを必要とする。以下では、図３から図５に関連して、第１のアクセスネットワークノードが第２のアクセスネットワークノード（隣接するアクセスネットワークノードの一例）によってサポートされているネットワークスライスを取得する方法を詳細に説明する。
【０１３３】
図３は、本願の一実施形態による通信方法の概略相互作用図である。この実装において、第１のアクセスネットワークノードと第２のアクセスネットワークノードとの間に通信インタフェースが存在する。したがって、第１のアクセスネットワークノード及び第２のアクセスネットワークノードが、直接通信し、互いによってサポートされているネットワークスライスの状態を取得し得る。
【０１３４】
図３に示されるように、方法３００は、以下の段階を含み得る。
【０１３５】
Ｓ３０１．第１のアクセスネットワークノードは、第２のアクセスネットワークノードに第１の要求メッセージを送信する。ここで、第１の要求メッセージは、第２のアクセスネットワークノードによってサポートされているネットワークスライスの識別情報を要求するのに使用される。
【０１３６】
Ｓ３０２．第２のアクセスネットワークノードは、第１のアクセスネットワークノードに第１の要求応答メッセージを送信する。ここで、第１の要求応答メッセージは、第２のアクセスネットワークノードによってサポートされているネットワークスライスの識別情報を含む。
【０１３７】
任意選択的に、第１の要求メッセージは、ハンドオーバ要求メッセージであり得、ＲＡＮノードの間の通信に使用される他のメッセージであり得る。それに応じて、第１の要求応答メッセージは、ハンドオーバ要求確認応答メッセージであり得、又は、ＲＡＮノードの間の通信に使用される他のメッセージであり得る。これは、本願のこの実施形態に限定されない。
【０１３８】
任意選択的に、第１の要求メッセージは、第１のアクセスネットワークノードによってサポートされているネットワークスライスの識別情報を含み得る。このような方法で、通信システム内の通信インタフェースを有する任意の２つのアクセスネットワークノードは、図３に示される通信方法を使用することによって、互いによってサポートされているネットワークスライスについての情報を認識し得る。
【０１３９】
図４は、本願の他の実施形態による通信方法の概略相互作用図である。この実装において、第１のアクセスネットワークノードと第２のアクセスネットワークノードとの間に通信インタフェースが存在しない。したがって、第１のアクセスネットワークノード及び第２のアクセスネットワークノードは、直接通信し、互いによってサポートされているネットワークスライスの状態を取得できない。この場合、第１のアクセスネットワークノード及び第２のアクセスネットワークノードは、トランジットに端末デバイスを使用することによって、互いよってサポートされているネットワークスライスについての情報を交換し得る。
【０１４０】
図４に示されるように、方法４００は、以下の段階を含み得る。
【０１４１】
Ｓ４０１．第１のアクセスネットワークノードは、端末デバイスに第１のインタフェースメッセージを送信する。ここで、第１のインタフェースメッセージは、第１のアクセスネットワークノードによってサポートされているネットワークスライスの識別情報を含む。
【０１４２】
Ｓ４０２．第２のアクセスネットワークノードは、端末デバイスに第２のインタフェースメッセージを送信する。ここで、第２のインタフェースメッセージは、第２のアクセスネットワークノードによってサポートされているネットワークスライスの識別情報を含む。
【０１４３】
Ｓ４０３．端末デバイスは、第１のアクセスネットワークノードに第３のインタフェースメッセージを送信する。ここで、第３のインタフェースメッセージは、第２のアクセスネットワークノードによってサポートされているネットワークスライスの識別情報を含む。
【０１４４】
Ｓ４０１及びＳ４０２の実行順序が限定されないことが理解されるべきである。例えば、Ｓ４０１がＳ４０２の前に実行され得、又は、Ｓ４０２がＳ４０１の前に実行され得、又は、Ｓ４０１及びＳ４０２が同時に実行され得る。これは、本願のこの実施形態に限定されない。
【０１４５】
任意選択的に、この実施形態において、方法４００は、以下の段階をさらに含み得る。
【０１４６】
Ｓ４０４．端末デバイスは、第２のアクセスネットワークノードに第４のインタフェースメッセージを送信する。ここで、第４のインタフェースメッセージは、第１のアクセスネットワークノードによってサポートされているネットワークスライスの識別情報を含む。
【０１４７】
したがって、第１のアクセスネットワークノード及び第２のアクセスネットワークノードは、図４に示される方法で、２つのアクセスネットワークノードによってサポートされているネットワークスライスの状態を交換し得る。同様に、通信システム内の任意の２つのアクセスネットワークノードが、図４に示される方法で、２つのアクセスネットワークノードによってサポートされているネットワークスライスの状態を交換し得る。
【０１４８】
任意選択的に、第１のインタフェースメッセージは、システムメッセージであり得る。すなわち、第１のアクセスネットワークノードは、システムメッセージを使用することによって、第１のアクセスネットワークノードによってサポートされているネットワークスライスについての情報をブロードキャストし得、又は、システムメッセージを使用することによって、第１のアクセスネットワークノードの隣接するノードによってサポートされているネットワークスライスについての情報をブロードキャストし得る。代替的に、第１のインタフェースメッセージは、専用シグナリング、例えば、ＲＲＣメッセージ又は媒体アクセス制御（ｍｅｄｉａ  ａｃｃｅｓｓ  ｃｏｎｔｒｏｌ、ＭＡＣ）メッセージのような、端末デバイスとアクセスネットワークノードとの間の通信に使用されるメッセージであり得る。同様に、これはまた、第２のインタフェースメッセージに当てはまる。簡潔のために、詳細は再び説明されない。
【０１４９】
任意選択的に、第３のインタフェースメッセージは、ＲＲＣメッセージ又はＭＡＣメッセージのような、エアインターフェイスメッセージであり得る。これは、本願のこの実施形態に限定されない。同様に、これはまた、第４のインタフェースメッセージに当てはまる。簡潔のために、詳細は再び説明されない。
【０１５０】
任意選択的に、第１のインタフェースメッセージは、独立したメッセージであり得る。例えば、専用のシステムメッセージが追加されて、ネットワークスライスについての情報をブロードキャストし得る。代替的に、第１のインタフェースメッセージは、既存のメッセージであり得る。例えば、属性フィールドが既存のメッセージに追加されて、ネットワークスライスについての情報を搬送し得る。同様に、これはまた、第２のインタフェースメッセージに当てはまる。簡潔のために、詳細は再び説明されない。
【０１５１】
任意選択的に、第３のインタフェースメッセージは、独立したメッセージであり得る。例えば、エアインターフェイスメッセージが追加されて、ネットワークスライスについての情報を送信し得る。代替的に、第３のインタフェースメッセージは、既存のエアインターフェイスメッセージであり得る。例えば、属性フィールドが既存のエアインターフェイスメッセージに追加されて、ネットワークスライスについての情報を搬送し得る。同様にこれはまた、第４のインタフェースメッセージに当てはまる。簡潔のために、詳細は再び説明されない。
【０１５２】
図５は、本願のさらなる他の実施形態による、通信方法の概略相互作用図である。この実装において、第１のアクセスネットワークノードと第２のアクセスネットワークノードとの間に通信インタフェースが存在しない。したがって、第１のアクセスネットワークノード及び第２のアクセスネットワークノードは、直接通信し、互いによってサポートされているネットワークスライスの状態を取得できない。第１のアクセスネットワークノード及び第２のアクセスネットワークノードは、トランジットにコアネットワークを使用することによって、互いによってサポートされているネットワークスライスについての情報を交換する。
【０１５３】
図５に示されるように、方法５００が、以下の段階を含み得る。
【０１５４】
Ｓ５０１．第１のアクセスネットワークノードは、コアネットワークノードに第１の通知メッセージを送信する。ここで、第１の通知メッセージは、第１のアクセスネットワークノードによってサポートされているネットワークスライスの識別情報を含む。
【０１５５】
Ｓ５０２．コアネットワークノードは、第１の確認応答メッセージで第１のアクセスネットワークノードに応答する。ここで、第１の確認応答メッセージは、第１のアクセスネットワークノードに第１の通知メッセージが受信されることを通知するのに使用される。
【０１５６】
Ｓ５０３．第２のアクセスネットワークノードは、コアネットワークノードに第２の通知メッセージを送信する。ここで、第２の通知メッセージは、第２のアクセスネットワークノードによってサポートされているネットワークスライスの識別情報を含む。
【０１５７】
Ｓ５０４．コアネットワークノードは、第２の確認応答メッセージで第２のアクセスネットワークノードに応答する。ここで、第２の確認応答メッセージは、第２のアクセスネットワークノードに第２の通知メッセージが受信されることを通知するのに使用される。
【０１５８】
Ｓ５０５．コアネットワークノードは、第１のアクセスネットワークノードに第３の通知メッセージを送信する。ここで、第３の通知メッセージは、第２のアクセスネットワークノードによってサポートされているネットワークスライスの識別情報を含む。
【０１５９】
Ｓ５０６．コアネットワークノードは、第２のアクセスネットワークノードに第４の通知メッセージを送信する。ここで、第４の通知メッセージは、第１のアクセスネットワークノードによってサポートされているネットワークスライスの識別情報を含む。
【０１６０】
Ｓ５０１及びＳ５０３お実行順序が限定されないことが理解されるべきである。例えば、Ｓ５０１がＳ５０３の前に実行され得、又は、Ｓ５０３がＳ５０１の前に実行され得、又は、Ｓ５０１及びＳ５０３が同時に実行され得る。同様に、Ｓ５０５及びＳ５０６の実行順序が限定されない。例えば、Ｓ５０５がＳ５０６の前に実行され得、又は、Ｓ５０６がＳ５０５の前に実行され得、又は、Ｓ５０５及びＳ５０６が同時に実行され得る。これは、本願のこの実施形態に限定されない。
【０１６１】
任意選択的に、第１の通知メッセージは、Ｎ２インタフェースメッセージ、例えば、Ｎ２インタフェースセットアップ要求メッセージ、ＲＡＮノード設定更新要求メッセージ又はＲＡＮノードとＣＮノードとの間の通信に使用される他のメッセージであり得る。これは、本願のこの実施形態に限定されない。同様にこれはまた、第２の通知メッセージに当てはまる。簡潔にするために、詳細はここで再度説明しない。
【０１６２】
それに応じて、第１の確認応答メッセージは、代替的に、Ｎ２インタフェースメッセージ、例えば、Ｎ２インタフェースセットアップ応答メッセージ、ＣＮノード設定更新要求メッセージ、又はＲＡＮノードとＣＮノードとの間の通信に使用される他のメッセージであり得る。これは、本願のこの実施形態に限定されない。同様にこれはまた、第２の確認応答メッセージに当てはまる。簡潔にするために、詳細はここで再度説明しない。
【０１６３】
任意選択的に、第１の通知メッセージは、独立したメッセージであり得る。例えば、専用メッセージが追加されて、ネットワークスライスについての情報を送信し得る。代替的に、第１の通知メッセージは、既存のメッセージであり得る。例えば、属性フィールドが既存のメッセージに追加されて、ネットワークスライスについての情報を搬送し得る。同様に、これはまた、他のメッセージに当てはまる。簡潔にするために、詳細はここで再度説明しない。
【０１６４】
したがって、ＲＡＮノード１及びＲＡＮノード２が、図５に示される方法で、２つのアクセスネットワークノードによってサポートされているネットワークスライスの状態を交換し得る。同様に、通信システム内の任意の２つのアクセスネットワークノードは図５に示される方法で、２つのアクセスネットワークノードによってサポートされているネットワークスライスの状態を交換し得る。
【０１６５】
第１のアクセスネットワークノードによって、隣接するアクセスネットワークノードによってサポートされているネットワークスライスについての情報を取得する機会が、隣接するアクセスネットワークノードによってサポートされているネットワークスライスについての情報が、Ｓ２０１の前に取得されるという条件で、言い換えれば、方法３００、方法４００、及び方法５００の実行プロセスがＳ２０１の前に実行されるという条件で、本願のこの実施形態に特に限定されないことが理解されるべきである。
【０１６６】
上述では、図２から図５に関連して、本願の方法の複数の実施形態を詳細に説明した。以下では、図６から図１１に関連して、本願の装置の複数の実施形態を詳細に説明する。装置の複数の実施形態及び方法の複数の実施形態が互いに対応することが理解されるべきである。同様の説明のために、方法の複数の実施形態を参照する。
【０１６７】
本願の一実施形態は、通信装置を提供する。以下では、図６に関連して、通信装置の構造及び機能を説明する。図６は、本願の一実施形態による通信装置６００の概略ブロック図である。図６に示されるように、通信装置６００は、受信機６１１、送信機６１２、及びプロセッサ６１３を含む。任意選択的に、通信装置６００は、メモリ６１４をさらに含む。受信機６１１、送信機６１２、プロセッサ６１３、及びメモリ６１４は、内部接続パスを通じて互いと通信し、制御信号及び／又はデータ信号を転送する。メモリ６１４は、コンピュータプログラムを記憶するよう構成される。プロセッサ６１３は、メモリ６１４からコンピュータプログラムを呼び出してコンピュータプログラムを実行するよう構成され、信号を受信するよう受信機６１１を制御し、信号を送信するよう送信機６１２を制御するよう構成される。メモリ６１４に記憶されているプログラム命令がプロセッサ６１３によって実行されるとき、送信機６１２は、コアネットワークノードに第１のメッセージを送信するよう構成される。第１のメッセージは、第２のアクセスネットワークノードによってサポートされているネットワークスライスの識別情報を含む。
【０１６８】
受信機６１２は、コアネットワークノードによって送信される第１の応答メッセージを受信するよう構成される。第１の応答メッセージは、第１のメッセージに対する応答メッセージである。
【０１６９】
プロセッサ６１３及びメモリ６１４は、１つの処理装置に組み合わされ得る。プロセッサ６１３は、メモリ６１４に記憶されているプログラムコードを実行するよう構成され、上述の機能を実装するよう構成される。特定の実装の間、メモリ６１４は、代替的に、プロセッサ６１３に統合され得、又はプロセッサ６１３から独立し得る。
【０１７０】
通信装置６００は、第１のアクセスネットワークノード（すなわち、本願の複数の実施形態による、通信方法２００、通信方法３００、通信方法４００、又は通信方法５００におけるＲＡＮノード１）に対応し得ることが理解されるべきである。通信装置６００は、通信方法２００、方法３００、方法４００、及び方法５００における第１のアクセスネットワークノードによって実行される方法を実行するよう構成されるモジュールを含み得る。加えて、通信装置６００内のモジュール又はユニットはそれぞれ、通信方法２００、通信方法３００、通信方法４００、又は通信方法５００における第１のアクセスネットワークノードによって実行される動作又は処理プロセスを実行するよう構成される。ここでは、反復を回避すべく、詳細な説明が省略される。
【０１７１】
本願の一実施形態は、通信装置をさらに提供する。以下では、図７に関連して、通信装置の構造及び機能を説明する。図７は、本願の一実施形態による、通信装置７００の他の概略的ブロック図である。図７に示されるように、通信装置７００は、送信モジュール７１０及び受信モジュール７２０を含む。
【０１７２】
送信モジュール７１０及び受信モジュール７２０が、ソフトウェア又はハードウェアによって実装され得る。送信モジュール７１０及び受信モジュール７２０がハードウェアによって実装されるとき、受信モジュール７２０は図６における受信機６１１であり得、送信モジュール７１０は図６における送信機６１２であり得る。
【０１７３】
本願の一実施形態は、通信装置を提供する。以下では、図８に関連して、通信装置の構造及び機能を説明する。図８は、本願の一実施形態による、通信装置８００の概略ブロック図である。図８に示されるように、通信装置８００は、受信機８１１、送信機８１２、及びプロセッサ８１３を含む。任意選択的に、通信装置８００は、メモリ８１４をさらに含む。受信機８１１、送信機８１２、プロセッサ８１３、及びメモリ８１４は、内部接続パスを通じて互いと通信し、制御信号及び／又はデータ信号を転送する。メモリ８１４は、コンピュータプログラムを記憶するよう構成される。プロセッサ８１３は、メモリ８１４からコンピュータプログラムを呼び出し、コンピュータプログラムを実行するよう構成され、その結果、受信機８１１は信号を受信し、送信機８１２は信号を送信する。メモリ８１４に記憶されているプログラム命令がプロセッサ８１３によって実行されるとき、受信機８１１は第１のアクセスネットワークノードによって送信される第１のメッセージを受信するよう構成される。第１のメッセージは、第２のアクセスネットワークノードによってサポートされているネットワークスライスの識別情報を含む。
【０１７４】
送信機８１２は、第１のアクセスネットワークノードに第１の応答メッセージを送信するよう構成される。第１の応答メッセージは、第１のメッセージに対する応答メッセージである。
【０１７５】
プロセッサ８１３及びメモリ８１４は、１つの処理装置に組み合わされ得る。プロセッサ８１３は、メモリ８１４に記憶されているプログラムコードを実行するよう構成され、上述の機能を実装するよう構成される。特定の実装の間、メモリ８１４は、代替的に、プロセッサ８１３に統合され得、又はプロセッサ８１３から独立し得る。任意選択的に、特定の実装の間、受信機８１１及び送信機８１２が、ネットワークノード間の通信相互作用を実装すべく、共に統合され得ることが理解され得る。
【０１７６】
通信装置８００は、本願の複数の実施形態による通信方法２００又は通信方法５００におけるコアネットワークノード（すなわち、ＣＮノード）に対応し得ることが理解されるべきである。通信装置８００は、通信方法２００又は通信方法５００におけるコアネットワークノードによって実行される方法を実行するよう構成されるモジュールを含み得る。加えて、通信装置８００におけるモジュール又はユニットはそれぞれ、通信方法２００又は通信方法５００におけるコアネットワークノードによって実行される動作又は処理プロセスを実行するよう構成される。ここでは、反復を回避すべく、詳細な説明が省略される。
【０１７７】
本願の一実施形態は、通信装置をさらに提供する。以下では、図９に関連して、通信装置の構造及び機能を説明する。図９は、本願の一実施形態による、通信装置９００の他の概略的ブロック図である。図９に示されるように、通信装置９００は、受信モジュール９１０及び送信モジュール９２０を含む。
【０１７８】
受信モジュール９１０及び送信モジュール９２０が、ソフトウェア又はハードウェアによって実装され得る。受信モジュール９１０及び送信モジュール９２０がハードウェアによって実装されるとき、受信モジュール９１０は図８における受信機８１１であり得、送信モジュール９２０は図８における送信機８１２であり得る。
【０１７９】
本願の一実施形態は、通信装置を提供する。以下では、図１０に関連して、通信装置の構造及び機能を説明する。図１０は、本願の一実施形態による、通信装置１０００の概略ブロック図である。図１０に示されるように、通信装置１０００は、受信機１０１１、送信機１０１２、及びプロセッサ１０１３を含む。任意選択的に、通信装置１０００は、メモリ１０１４をさらに含む。受信機１０１１、送信機１０１２、プロセッサ１０１３、及びメモリ１０１４は、内部接続パスを通じて互いと通信し、制御信号及び／又はデータ信号を転送する。メモリ１０１４は、コンピュータプログラムを記憶するよう構成される。プロセッサ１０１３は、メモリ１０１４からコンピュータプログラムを呼び出し、コンピュータプログラムを実行するよう構成され、信号を受信するよう受信機１０１１を制御し、信号を送信するよう送信機１０１２を制御するよう構成される。メモリ１０１４に記憶されているプログラム命令がプロセッサ１０１３によって実行されるとき、受信機１０１１は、第２のアクセスネットワークノードによって送信される第５のメッセージを受信するよう構成される。第５のメッセージは、第２のアクセスネットワークノードによってサポートされているネットワークスライスの識別情報を含む。
【０１８０】
送信機１０１２は、第１のアクセスネットワークノードに第４のメッセージを送信するよう構成される。ここで、第４のメッセージは、第２のアクセスネットワークノードによってサポートされているネットワークスライスに対応するネットワークスライス識別子を含む。
【０１８１】
プロセッサ１０１３及びメモリ１０１４は、１つの処理装置に組み合わされ得る。プロセッサ１０１３は、メモリ１０１４に記憶されているプログラムコードを実行するよう構成され、上述の機能を実装するよう構成される。特定の実装の間、メモリ１０１４は、代替的に、プロセッサ１０１３に統合され得、又はプロセッサ１０１３から独立し得る。任意選択的に、特定の実装の間、受信機１０１１及び送信機１０１２が、ネットワークノード間の通信相互作用を実装すべく、共に統合され得ることが理解され得る。
【０１８２】
通信装置１０００は、本願の複数の実施形態による、通信方法２００又は通信方法４００における端末デバイスに対応し得ることが理解されるべきである。通信装置１０００は、通信方法２００又は方法４００における端末デバイスによって実行される方法を実行するよう構成されるモジュールを含み得る。加えて、通信装置１０００におけるモジュール又はユニットはそれぞれ、通信方法２００又は通信方法４００における端末デバイスによって実行される動作又は処理プロセスを実行するよう構成される。ここでは、反復を回避すべく、詳細な説明が省略される。
【０１８３】
本願の一実施形態は、通信装置をさらに提供する。以下では、図１１に関連して、通信装置の構造及び機能を説明する。図１１は、本願の一実施形態による、通信装置１１００の他の概略的ブロック図である。図１１に示されるように、通信装置１１００は、受信モジュール１１１０及び送信モジュール１１２０を含む。
【０１８４】
受信モジュール１１１０及び送信モジュール１１２０が、ソフトウェア又はハードウェアによって実装され得る。受信モジュール１１１０及び送信モジュール１１２０がハードウェアによって実装されるとき、受信モジュール１１１０は図１０における受信機１０１１であり得、送信モジュール１１２０は図１０における送信機１０１２であり得る。
【０１８５】
上述した方法の実施形態がプロセッサに適用され得、又はプロセッサによって実装され得ることが留意されるべきである。プロセッサは集積回路チップであり得、信号処理能力を有する。一実装プロセスにおいて、上述した方法の実施形態の複数の段階は、プロセッサ内のハードウェア統合論理回路又はソフトウェアの形態の命令を使用することによって、完了し得る。上述のプロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）若しくは他のプログラマブル論理デバイス、個別のゲート若しくはトランジスタ論理デバイス、又は個別のハードウェアコンポーネントであり得る。プロセッサは、本願の複数の実施形態において開示されている、方法、段階、及び論理ブロック図を実装又は実行し得る。汎用プロセッサはマイクロプロセッサであり得、又はプロセッサは任意の従来のプロセッサ又は同様のものであり得る。本願の複数の実施形態に関連して開示された方法の複数の段階は、ハードウェア復号プロセッサを使用することによって直接実行されて完了し得、又は、復号プロセッサ内のハードウェア及びソフトウェアモジュールの組み合わせを使用することによって実行されて完了し得る。ソフトウェアモジュールは、ランダムアクセスメモリ、フラッシュメモリ、リードオンリーメモリ、プログラマブルリードオンリメモリ、電気的消去可能プログラマブルメモリ、又はレジスタのような、当該分野の成熟した記憶媒体に位置し得る。記憶媒体は、メモリに位置している。プロセッサは、メモリ内の情報を読み取り、プロセッサのハードウェアと組み合わせて上述の方法における複数の段階を完了する。
【０１８６】
本願の複数の実施形態におけるメモリは、揮発性メモリ又は不揮発性メモリであり得、又は揮発性メモリ及び不揮発性メモリを含み得ることが理解され得る。不揮発性メモリは、リードオンリーメモリ（ｒｅａｄ−ｏｎｌｙ  ｍｅｍｏｒｙ、ＲＯＭ）、プログラマブルリードオンリメモリ（ｐｒｏｇｒａｍｍａｂｌｅ  ＲＯＭ、ＰＲＯＭ）、消去可能プログラマブルリードオンリメモリ（ｅｒａｓａｂｌｅ  ＰＲＯＭ、ＥＰＲＯＭ）、電気的消去可能プログラマブルリードオンリメモリ（ｅｌｅｃｔｒｉｃａｌｌｙ  ＥＰＲＯＭ、ＥＥＰＲＯＭ）、又はフラッシュメモリであり得る。揮発性メモリは、外部キャッシュとして使用されるランダムアクセスメモリ（ｒａｎｄｏｍ  ａｃｃｅｓｓ  ｍｅｍｏｒｙ、ＲＡＭ）であり得る。限定的な説明ではなく例示の目的で、ＲＡＭの多くの形態、例えば、スタティックランダムアクセスメモリ（Ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期型ダイナミックランダムアクセスメモリ（ｓｙｎｃｈｒｏｎｏｕｓ  ＤＲＡＭ、ＳＤＲＡＭ）、ダブルデータレート同期型ダイナミックランダムアクセスメモリ（ｄｏｕｂｌｅ  ｄａｔａ  ｒａｔｅ  ＳＤＲＡＭ、ＤＤＲ  ＳＤＲＡＭ）、進化型同期型ダイナミックランダムアクセスメモリ（ｅｎｈａｎｃｅｄ  ＳＤＲＡＭ、ＥＳＤＲＡＭ）、シンクリンクダイナミックランダムアクセスメモリ（ｓｙｎｃｈｌｉｎｋ  ＤＲＡＭ、ＳＬＤＲＡＭ）、 及びダイレクトランバスダイナミックランダムアクセスメモリ（ｄｉｒｅｃｔ  ｒａｍｂｕｓ  ＲＡＭ、ＤＲ  ＲＡＭ）が使用され得る。本明細書で説明されたシステム及び方法のメモリが、これらに限定されないが、これらのメモリ及び他の適切なタイプの任意のメモリを含むことが留意されるべきである。
【０１８７】
本明細書における用語「及び／又は」は、関連するオブジェクトを説明するための対応関係のみを説明し、３つの関係が存在し得ることを表すことが理解されるべきである。例えば、Ａ及び／又はＢは、以下の３つの場合を表す。Ａのみが存在、Ａ及びＢの両方が存在、Ｂのみが存在。加えて、本明細書における文字「／」は、通常、関連するオブジェクト間の「又は」の関係を示す。
【０１８８】
上述のプロセスのシーケンス番号は、様々な本願の複数の実施形態における実行順序を意味するものでないことが理解されるべきである。プロセスの実行順序が、プロセスの機能及び内部論理に基づいて決定されるべきであり、本願の複数の実施形態の実装プロセスに対するなんらかの限定として解釈されるべきでない。
【０１８９】
当業者であれば、本明細書で開示された複数の実施形態で説明された例と組み合わせて、ユニット及びアルゴリズムステップが、電子機器又はコンピュータソフトウェアと電子機器との組み合わせによって実装され得ることを認識するだろう。機能がハードウェア又はソフトウェアによって実行されるか否かは、技術的解決手段の特定の用途及び設計制約条件に依存する。当業者であれば、各特定の用途の機能を実装すべく異なる方法を使用し得るが、当該実装が本願の複数の実施形態の範囲を超えるものとみなされるべきではない。
【０１９０】
簡便で簡潔な説明のために、上述のシステム、装置及びユニットの詳細な動作プロセスは、上述した方法の複数の実施形態における対応するプロセスを参照し、詳細はここで再度説明しないことが当業者によって明確に理解され得る。
【０１９１】
本願で提供されるいくつかの実施形態において、開示されたシステム、装置、及び方法が他の方法で実装され得ることが理解されるべきである。例えば、装置の複数の実施形態は、単に例に過ぎない。例えば、ユニットに分割することは、単に論理機能分割に過ぎず、実際の実装の間で他の分割であり得る。例えば、複数のユニット又はコンポーネントは、他のシステムに組み合わされ若しくは統合され得、又はいくつかの特徴が無視される場合若しくは実行されない場合がある。加えて、表示若しくは説明される相互結合又は直接結合若しくは通信接続は、いくつかのインタフェースを使用することによって実装され得る。装置又はユニット間の間接結合又は通信接続が、電気的、機械的又は他の形態で実装され得る。別個の部品として説明されたユニットは、物理的に分離してもしなくてもよく、ユニットとして表示される部分は、物理的ユニットであってもなくてもよく、すなわち、１か所に位置し得、又は、複数のネットワークユニットに分散され得る。ユニットの一部又は全部が、複数の実施形態の解決手段の目的を実現すべく、実際の要求に基づいて選択され得る。
【０１９２】
加えて、本願の複数の実施形態における機能ユニットが、１つの処理ユニットに統合され得、又は、複数のユニットのそれぞれが、物理的に単独で存在し得、又は、２又はそれより多くのユニットが１つのユニットに統合される。
【０１９３】
機能がソフトウェア機能ユニットの形態で実装され、独立製品として販売又は使用されるとき、機能が、コンピュータ可読記憶媒体に記憶され得る。そのような理解に基づいて、本願の技術的解決手段、本質的に、又は従来技術に対して貢献する部分、又は技術的解決手段のいくつかの部分が、ソフトウェア製品の形態で実装され得る。コンピュータソフトウェア製品が記憶媒体に記憶され、（パーソナルコンピュータ、サーバ、ネットワークデバイス又は同様のものであり得る）コンピュータデバイスに本願の複数の実施形態における方法の段階の全部又は一部を実行することを命令するためのいくつかの命令を含む。上述の記憶媒体は、ＵＳＢフラッシュドライブ、リムーバブルハードディスク、リードオンリーメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、又は光ディスクのような、プログラムコードを記憶できる任意媒体を含む。
【０１９４】
上述の説明は単本願の複数の実施形態の特定の実装に過ぎず、本願の複数の実施形態の保護範囲はこれに限定されない。本願の複数の実施形態で開示された技術的範囲内で当業者によって容易に理解される任意の変形例又は置換例が、本願の複数の実施形態の保護範囲に含まれるだろう。
【図１】
2021505083.tif 000003
【図２】
2021505083.tif 000004
【図３】
2021505083.tif 000005
【図４】
2021505083.tif 000006
【図５】
2021505083.tif 000007
【図６】
2021505083.tif 000008
【図７】
2021505083.tif 000009
【図８】
2021505083.tif 000010
【図９】
2021505083.tif 000011
【図１０】
2021505083.tif 000012
【図１１】
2021505083.tif 000013
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
第１のアクセスネットワークノードが、コアネットワークノードに第１のメッセージを送信する段階であって、前記第１のメッセージは、第２のアクセスネットワークノードによってサポートされているネットワークスライスの識別情報を含む、送信する段階と、
前記第１のアクセスネットワークノードが、前記コアネットワークノードによって送信される第１の応答メッセージを受信する段階であって、前記第１の応答メッセージは、前記第１のメッセージに対する応答メッセージである、受信する段階と
を備える、通信方法。
【請求項２】
前記第１のメッセージは、前記コアネットワークノードに前記第１のアクセスネットワークノードによってサポートされている第１のネットワークスライスセットを更新することを命令するのに使用される、請求項１に記載の通信方法。
【請求項３】
前記第１のネットワークスライスセットは、前記第１のアクセスネットワークノードによってサポートされていないが、前記第２のアクセスネットワークノードによってサポートされているネットワークスライスを含む、請求項２に記載の通信方法。
【請求項４】
前記第１のネットワークスライスセットが、前記第１のアクセスネットワークノードによってサポートされているネットワークスライスについての情報、及び前記第２のアクセスネットワークノードによってサポートされている前記ネットワークスライスについての情報に基づいて決定され、又は、前記第１のネットワークスライスセットが、前記第１のアクセスネットワークノードによってサポートされているネットワークスライスについての情報、前記第２のアクセスネットワークノードによってサポートされている前記ネットワークスライスについての情報、及び端末デバイスがアクセスを要求する若しくはアクセスを許されているネットワークスライスについての情報に基づいて決定される、請求項３に記載の通信方法。
【請求項５】
前記通信方法はさらに、
前記第１のアクセスネットワークノードが、前記コアネットワークノードに端末デバイスによって送信される第２のメッセージを転送する段階であって、前記第２のメッセージは、前記コアネットワークノードに第２のネットワークスライスセット内のネットワークスライスに対応するサービス情報を構成することを要求するのに使用され、前記第２のネットワークスライスセットは、前記第１のネットワークスライスセット内の少なくとも１つのネットワークスライスを含む、転送する段階と、
前記第１のアクセスネットワークノードが、前記コアネットワークノードによって送信される第２の応答メッセージを受信する段階であって、前記第２の応答メッセージは、前記第２のネットワークスライスセット内の前記ネットワークスライスに対応する前記サービス情報を含む、受信する段階と、
前記第１のアクセスネットワークノードが、前記第２のアクセスネットワークノードに第３のメッセージを送信する段階であって、前記第３のメッセージは、前記第２のネットワークスライスセット内にあり、かつ、前記第２のアクセスネットワークノードによってサポートされているネットワークスライスに対応するサービス情報を含む、送信する段階と、
を備える、請求項２から４のいずれか一項に記載の通信方法。
【請求項６】
前記通信方法はさらに、
前記第１のアクセスネットワークノードが、端末デバイスによって送信される第４のメッセージを受信する段階であって、前記第４のメッセージは、前記第２のアクセスネットワークノードによってサポートされている前記ネットワークスライスの前記識別情報を含み、前記第２のアクセスネットワークノードによってサポートされている前記ネットワークスライスの前記識別情報が、前記第２のアクセスネットワークノードによって前記端末デバイスに送信される、受信する段階
を備える、請求項１から５のいずれか一項に記載の通信方法。
【請求項７】
コアネットワークノードが、第１のアクセスネットワークノードによって送信される第１のメッセージを受信する段階であって、前記第１のメッセージは、第２のアクセスネットワークノードによってサポートされているネットワークスライスの識別情報を含む、受信する段階と、
前記コアネットワークノードが、前記第１のアクセスネットワークノードに第１の応答メッセージを送信する段階であって、前記第１の応答メッセージは、前記第１のメッセージに対する応答メッセージである、送信する段階と
備える、通信方法。
【請求項８】
前記通信方法はさらに、
前記コアネットワークノードが、前記第１のメッセージに基づいて、前記第１のアクセスネットワークノードによってサポートされている第１のネットワークスライスセットを更新する段階
を備える、請求項７に記載の通信方法。
【請求項９】
前記第１のネットワークスライスセットは、前記第１のアクセスネットワークノードによってサポートされていないが、前記第２のアクセスネットワークノードによってサポートされているネットワークスライスを含む、請求項８に記載の通信方法。
【請求項１０】
前記第１のネットワークスライスセットが、前記第１のアクセスネットワークノードによってサポートされているネットワークスライスについての情報、及び前記第２のアクセスネットワークノードによってサポートされている前記ネットワークスライスについての情報に基づいて決定され、又は、前記第１のネットワークスライスセットが、前記第１のアクセスネットワークノードによってサポートされているネットワークスライスについての情報、前記第２のアクセスネットワークノードによってサポートされている前記ネットワークスライスについての情報、及び端末デバイスがアクセスを要求する若しくはアクセスを許されているネットワークスライスについての情報に基づいて決定される、請求項９に記載の通信方法。
【請求項１１】
前記通信方法はさらに、
前記コアネットワークノードが、前記第１のアクセスネットワークノードを使用することによって、端末デバイスによって送信される第２のメッセージを受信する段階であって、前記第２のメッセージは、前記コアネットワークノードに第２のネットワークスライスセット内のネットワークスライスに対応するサービス情報を構成することを要求するのに使用され、前記第２のネットワークスライスセットは、前記第１のネットワークスライスセット内の少なくとも１つのネットワークスライスを含む、受信する段階と、
前記コアネットワークノードが、前記第１のアクセスネットワークノードに第２の応答メッセージを送信する段階であって、前記第２の応答メッセージは、前記第２のネットワークスライスセット内の前記ネットワークスライスに対応する前記サービス情報を含む、送信する段階と
を備える、請求項８から１０のいずれか一項に記載の通信方法。
【請求項１２】
端末デバイスが、第２のアクセスネットワークノードによって送信される第５のメッセージを受信する段階であって、前記第５のメッセージは、前記第２のアクセスネットワークノードによってサポートされているネットワークスライスの識別情報を含む、受信する段階と、
前記端末デバイスが、第１のアクセスネットワークノードに第４のメッセージを送信する段階であって、前記第４のメッセージは、前記第２のアクセスネットワークノードによってサポートされている前記ネットワークスライスに対応するネットワークスライス識別子を含む、送信する段階と
を備える、通信方法。
【請求項１３】
コアネットワークノードに第１のメッセージを送信するよう構成される送信モジュールであって、前記第１のメッセージは、第２のアクセスネットワークノードによってサポートされているネットワークスライスの識別情報を含む、送信モジュールと、
前記コアネットワークノードによって送信される第１の応答メッセージを受信するよう構成される受信モジュールであって、前記第１の応答メッセージは、前記第１のメッセージに対する応答メッセージである、受信モジュールと
を備える、通信装置。
【請求項１４】
前記第１のメッセージは、前記コアネットワークノードに前記通信装置によってサポートされている第１のネットワークスライスセットを更新することを命令するのに使用される、請求項１３に記載の通信装置。
【請求項１５】
前記第１のネットワークスライスセットは、前記通信装置によってサポートされていないが、前記第２のアクセスネットワークノードによってサポートされているネットワークスライスを含む、請求項１４に記載の通信装置。
【請求項１６】
前記第１のネットワークスライスセットが、前記通信装置によってサポートされているネットワークスライスについての情報、及び前記第２のアクセスネットワークノードによってサポートされている前記ネットワークスライスについての情報に基づいて決定され、又は、前記第１のネットワークスライスセットが、前記通信装置によってサポートされているネットワークスライスについての情報、前記第２のアクセスネットワークノードによってサポートされている前記ネットワークスライスについての情報、及び端末デバイスがアクセスを要求する若しくはアクセスを許されているネットワークスライスについての情報に基づいて決定される、請求項１５に記載の通信装置。
【請求項１７】
前記送信モジュールはさらに、前記コアネットワークノードに端末デバイスによって送信される第２のメッセージを転送することであって、前記第２のメッセージは、前記コアネットワークノードに第２のネットワークスライスセット内のネットワークスライスに対応するサービス情報を構成することを要求するのに使用され、前記第２のネットワークスライスセットは、前記第１のネットワークスライスセット内の少なくとも１つのネットワークスライスを含む、転送することを行うよう構成され、
前記受信モジュールはさらに、前記コアネットワークノードによって送信される第２の応答メッセージを受信することであって、前記第２の応答メッセージは、前記第２のネットワークスライスセット内の前記ネットワークスライスに対応する前記サービス情報を含む、受信することを行うよう構成され、
前記送信モジュールはさらに、前記第２のアクセスネットワークノードに第３のメッセージを送信することであって、前記第３のメッセージは、前記第２のネットワークスライスセット内にあり、かつ、前記第２のアクセスネットワークノードによってサポートされているネットワークスライスに対応するサービス情報を含む、送信することを行うよう構成される、
請求項１４から１６のいずれか一項に記載の通信装置。
【請求項１８】
前記受信モジュールはさらに、端末デバイスによって送信される第４のメッセージを受信することであって、前記第４のメッセージは、前記第２のアクセスネットワークノードによってサポートされている前記ネットワークスライスの前記識別情報を含み、前記第２のアクセスネットワークノードによってサポートされている前記ネットワークスライスの前記識別情報が、前記第２のアクセスネットワークノードによって前記端末デバイスに送信される、受信することを行うよう構成される、請求項１３から１７のいずれか一項に記載の通信装置。
【請求項１９】
第１のアクセスネットワークノードによって送信される第１のメッセージを受信するよう構成される受信モジュールであって、前記第１のメッセージは、第２のアクセスネットワークノードによってサポートされているネットワークスライスの識別情報を含む、受信モジュールと、
前記第１のアクセスネットワークノードに第１の応答メッセージを送信するよう構成される送信モジュールであって、前記第１の応答メッセージは、前記第１のメッセージに対する応答メッセージである、送信モジュールと
を備える、通信装置。
【請求項２０】
前記通信装置はさらに、前記第１のメッセージに基づいて、前記第１のアクセスネットワークノードによってサポートされている第１のネットワークスライスセットを更新するよう構成される、更新モジュールを備える、請求項１９に記載の通信装置。
【請求項２１】
前記第１のネットワークスライスセットは、前記第１のアクセスネットワークノードによってサポートされていないが、前記第２のアクセスネットワークノードによってサポートされているネットワークスライスを含む、請求項２０に記載の通信装置。
【請求項２２】
前記第１のネットワークスライスセットが、前記第１のアクセスネットワークノードによってサポートされているネットワークスライスについての情報、及び前記第２のアクセスネットワークノードによってサポートされている前記ネットワークスライスについての情報に基づいて決定され、又は、前記第１のネットワークスライスセットが、前記第１のアクセスネットワークノードによってサポートされているネットワークスライスについての情報、前記第２のアクセスネットワークノードによってサポートされている前記ネットワークスライスについての情報、及び端末デバイスがアクセスを要求する若しくはアクセスを許されているネットワークスライスについての情報に基づいて決定される、請求項２１に記載の通信装置。
【請求項２３】
前記受信モジュールはさらに、前記第１のアクセスネットワークノードを使用することによって、端末デバイスによって送信される第２のメッセージを受信することであって、前記第２のメッセージは、コアネットワークノードに第２のネットワークスライスセット内のネットワークスライスに対応するサービス情報を構成することを要求するのに使用され、前記第２のネットワークスライスセットは、前記第１のネットワークスライスセット内の少なくとも１つのネットワークスライスを含む、受信することを行うよう構成され、
前記送信モジュールはさらに、前記第１のアクセスネットワークノードに第２の応答メッセージを送信することであって、前記第２の応答メッセージは、前記第２のネットワークスライスセット内の前記ネットワークスライスに対応する前記サービス情報を含む、送信することを行うよう構成される、
請求項２０から２２のいずれか一項に記載の通信装置。
【請求項２４】
第２のアクセスネットワークノードによって送信される第５のメッセージを受信するよう構成される受信モジュールであって、前記第５のメッセージは、前記第２のアクセスネットワークノードによってサポートされているネットワークスライスの識別情報を含む、受信モジュールと、
第１のアクセスネットワークノードに第４のメッセージを送信するよう構成される送信モジュールであって、前記第４のメッセージは、前記第２のアクセスネットワークノードによってサポートされている前記ネットワークスライスに対応するネットワークスライス識別子を含む、送信モジュールと
を備える、通信装置。
【請求項２５】
通信装置であって、
コンピュータプログラムを記憶するよう構成されるメモリと、
前記メモリに記憶されている前記コンピュータプログラムを実行するよう構成され、その結果、前記通信装置が請求項１から６のいずれか一項に記載の通信方法を実行する、プロセッサと
を備える、通信装置。
【請求項２６】
通信装置であって、
コンピュータプログラムを記憶するよう構成されるメモリと、
前記メモリに記憶されている前記コンピュータプログラムを実行するよう構成され、その結果、前記通信装置が請求項７から１１のいずれか一項に記載の通信方法を実行する、プロセッサと
を備える、通信装置。
【請求項２７】
通信装置であって、
コンピュータプログラムを記憶するよう構成されるメモリと、
前記メモリに記憶されている前記コンピュータプログラムを実行するよう構成され、その結果、前記通信装置が請求項１２に記載の通信方法を実行する、プロセッサと
を備える、通信装置。
【請求項２８】
請求項１３から１８のいずれか一項に記載の少なくとも１つの通信装置と、
請求項１９から２３のいずれか一項に記載の少なくとも１つの通信装置と、
請求項２４に記載の少なくとも１つの通信装置と
を備える、通信システム。
【請求項２９】
請求項２５に記載の少なくとも１つの通信装置と、
請求項２６に記載の少なくとも１つの通信装置と、
請求項２７に記載の少なくとも１つの通信装置と
を備える、通信システム。
【国際調査報告】
2021505083.tif 000014
2021505083.tif 000015
2021505083.tif 000016
2021505083.tif 000017
2021505083.tif 000018
2021505083.tif 000019